(57)【要約】【課題】  ＬＴＥ通信において、特定の移動端末にアクセス許可するＣＳＧ（Closed Subscriber Group cell）は、特定の加入者にアクセスを許可するクローズドアクセスモードと、不特定の利用者にアクセスを許可するオープンアクセスモード、これらを同時に行うハイブリッドアクセスモードで動作する。モードの異なるＣＳＧが混在することにより、セルサーチが複雑になる。【解決手段】  特定の移動端末に利用を許可する特定加入者用セル（CSG）及び不特定の移動端末が利用可能な不特定利用者用セル（non-CSG）を含み、移動端末は、通信セルに割り当てられたセル識別情報（Physical Cell Identity）を受信してセル選択を行う。セル識別情報は、ＣＳＧセルに割り当てる第一分類と、ｎｏｎ−ＣＳＧセルに割り当てる第二分類に分類されており、ハイブリッドモードで動作しているＣＳＧセルには第一分類に含まれるセル識別情報を割り当てる。【選択図】  図１
2012044234.tif 000002
【特許請求の範囲】
【請求項１】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、特定の前記移動端末ないし加入者に利用を許可する通信セルである特定加入者用セル及び不特定の前記移動端末ないし利用者が利用可能な通信セルである不特定利用者用セルに設けられた基地局と、複数の前記基地局を介して前記移動端末が位置する所望のトラッキングエリアを管理するとともに、前記移動端末にページング処理を行う基地局制御装置を含み、前記移動端末は、前記通信セルそれぞれに割り当てられた情報であって、前記通信セルを識別するための情報であるセル識別情報（ＰＣＩ）を前記基地局より受信し、通信を行うセルの選択を行う移動体通信システムにおいて、
前記特定加入者用セルは、特定の前記移動端末ないし加入者に利用を許可する第一の動作モードと不特定の前記移動端末ないし利用者に利用を許可する第二の動作モードとを同時に運用可能であり、前記通信セルに割り当て可能なセル識別情報は、特定加入者用セルに割り当てる第一分類と、不特定利用者用セルに割り当てる第二分類に分類されており、前記第二の動作モードで動作している前記特定加入者用セルには前記第一分類に含まれるセル識別情報が割り当てられることを特徴とする移動体通信システム。
【請求項２】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、特定の前記移動端末ないし加入者に利用を許可する通信セルである特定加入者用セル及び不特定の前記移動端末ないし利用者が利用可能な通信セルである不特定利用者用セルに設けられた基地局と、複数の前記基地局を介して前記移動端末が位置する所望のトラッキングエリアを管理するとともに、前記移動端末にページング処理を行う基地局制御装置を含み、前記移動端末は、前記通信セルそれぞれに割り当てられた情報であって、前記通信セルを識別するための情報であるセル識別情報（ＰＣＩ）を前記基地局より受信し、通信を行うセルの選択を行う移動体通信システムにおいて、
前記特定加入者用セルは、特定の前記移動端末ないし加入者に利用を許可する第一の動作モードと不特定の前記移動端末ないし利用者に利用を許可する第二の動作モードと、前記第一の動作モードと前記第二の動作モードとを同時に処理する第三の動作モードで運用可能であり、前記通信セルに割り当て可能なセル識別情報は、特定加入者用セルに割り当てる第一分類と、不特定利用者用セルに割り当てる第二分類に分類されており、前記第三の動作モードで動作している前記特定加入者用セルには前記第一分類に含まれるセル識別情報が割り当てられることを特徴とする移動体通信システム。
【発明の詳細な説明】
【技術分野】
【０００１】
本発明は、基地局が複数の移動端末と無線通信を実施する移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワーク（単にネットワークとも称する）を含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW:Access Gatewayと称されることもある)と称される。このＬＴＥの通信システムでは、ユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は移動端末が待ち受け状態及び、アクティブ状態（Active State）の際に、トラッキングエリア（Tracking Area）リストの管理を行う。Ｓ−ＧＷ１０４はひとつまたは複数の基地局１０２とユーザデータの送受信を行う。Ｓ−ＧＷ１０４は基地局間のハンドオーバの際、ローカルな移動性のアンカーポイント（Mobility Anchor Point）となる。更にＰ−ＧＷ（PDN Gateway）が存在し、ユーザ毎のパケットフィルタリングやＵＥ−ＩＤアドレスの割当などを行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。フレーム毎に１番目（＃０）と６番目（＃５）のサブフレームに下り同期信号（Downlink Synchronization Signal: SS）が含まれる。同期信号には第一同期信号（Primary Synchronization Signal: P-SS）と第二同期信号（Secondary Synchronization Signal: S-SS）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。ＣＳＧ（Closed Subscriber Group cell）セルにおいてもｎｏｎ−ＣＳＧセルと同じチャネル構成が用いられると想定されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。ＰＤＣＣＨはＬ１/Ｌ２制御信号とも呼ばれる。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）やトランスポートチャネルであるＰＣＨがマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。またＰＵＣＣＨは、スケジューリングリクエスト（Scheduling Request: SR）を運ぶ。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference symbol received power：ＲＳＲＰ）がある。
【００１０】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１１】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１２】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１３】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。下り方法では、ＣＣＣＨはトランスポートチャネルである下り共有チャネル（ＤＬ−ＳＣＨ）へマッピングされる。上り方向では、ＣＣＣＨはトランスポートチャネルである上り共有チャネル(UL-SCH)へマッピングされる。
【００１４】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１５】
ＧＣＩとは、グローバルセル識別子（Global Cell Identity）のことである。ＬＴＥ及びＵＭＴＳ（Universal Mobile Telecommunication System）においてＣＳＧセル（Closed Subscriber Group cell）が導入される。ＣＳＧについて以下説明する（非特許文献４  ３．１章）。ＣＳＧ（Closed Subscriber Group）とは、利用可能な加入者をオペレータが特定しているセルである（特定加入者用セル）。特定された加入者は、ＰＬＭＮ（Public Land Mobile Network）のひとつ以上のＥ-ＵＴＲＡＮセルにアクセスすることが許可される。特定された加入者がアクセスを許可されている１つ以上のＥ−ＵＴＲＡＮセルを“ＣＳＧ  ｃｅｌｌ（ｓ）”とよぶ。ただし、ＰＬＭＮにはアクセス制限がある。ＣＳＧセルとは、固有のＣＳＧアイデンティティ（CSG identity: CSG ID，CSG-ID）を報知するＰＬＭＮの一部である。あらかじめ利用登録し、許可された加入者グループのメンバーは、アクセス許可情報であるところのＣＳＧ−ＩＤを用いてＣＳＧセルにアクセスする。ＣＳＧ−ＩＤはＣＳＧセルかセルによって報知される。移動体通信システムにＣＳＧ−ＩＤは複数存在する。そして、ＣＳＧ−ＩＤは、ＣＳＧ関連のメンバーのアクセスを容易にするために端末（UE）によって使用される。ＣＳＧセルあるいはセルによって報知される情報をＣＳＧ−ＩＤの代わりにトラッキングエリアコード（Tracking Area Code  TAC）にすることが３ＧＰＰ会合において議論されている。移動端末の位置追跡は、１つ以上のセルからなる区域を単位に行われる。位置追跡は、通信をしていない状態（待受け状態）であっても移動端末の位置を追跡し、呼び出す（移動端末が着呼する）ことを可能にするためである。この移動端末の位置追跡のための区域をトラッキングエリアとよぶ。ＣＳＧホワイトリスト（CSG White List）とは、加入者が属するＣＳＧセルのすべてのＣＳＧ ＩＤが記録されている、ＵＳＩＭに格納されたリストである。移動端末内のホワイトリストは上位レイヤによって与えられる。これによりＣＳＧセルの基地局は移動端末に無線リソースの割り当てを行う。
【００１６】
「適切なセル」（Suitable cell）について以下説明する（非特許文献４  4.3章）。「適切なセル」（Suitable cell）とは、ＵＥが通常（normal）サービスを受けるためにキャンプオン（Camp ON）するセルである。そのようなセルは、（１）セルは選択されたＰＬＭＮか登録されたＰＬＭＮ、または「Ｅｑｕｉｖａｌｅｎｔ  ＰＬＭＮリスト」のＰＬＭＮの一部であること、（２）ＮＡＳ（non-access stratum）によって提供された最新情報にてさらに以下の条件を満たすこと、（１）そのセルが禁じられた（barred）セルでないこと。（２）そのセルが“ローミングのための禁止されたＬＡｓ”リストの一部ではなく、少なくとも１つのトラッキングエリア（Tracking Area:TA）の一部であること。その場合、そのセルは上記（１）を満たす必要がある、（３）そのセルが、セル選択評価基準を満たしていること、（４）そのセルが、ＣＳＧセルとしてシステム情報（System Information: SI）によって特定されたセルに関しては、ＣＳＧ−ＩＤはＵＥの「ＣＳＧホワイトリスト」（CSG WhiteList）の一部であること（UEのCSG WhiteList中に含まれること）。
【００１７】
「アクセプタブルセル」（Acceptable cell）について以下説明する（非特許文献４  ４．３章）これは、ＵＥが限られたサービス（緊急通報）を受けるためにキャンプオンするセルである。そのようなセルは以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。
【００１８】
【非特許文献１】３ＧＰＰ  ＴＳ３６．３００  Ｖ８．６．０
【非特許文献２】３ＧＰＰ  Ｒ１−０７２９６３
【非特許文献３】ＴＲ  Ｒ３．０２０Ｖ０．６．０
【非特許文献４】３ＧＰＰ  ＴＳ３６．３０４  Ｖ８．３．０
【非特許文献５】３ＧＰＰ  Ｒ２−０８２８９９
【非特許文献６】３ＧＰＰ  Ｓ１−０８３４６１
【非特許文献７】３ＧＰＰ  Ｒ２−０８６２４６
【非特許文献８】３ＧＰＰ  Ｒ２−０８６２８１
【非特許文献９】３ＧＰＰ  ＴＳ３６．３３１
【非特許文献１０】３ＧＰＰ  Ｒ２−０９４８０８
【発明の開示】
【発明が解決しようとする課題】
【００１９】
ＨｅＮＢ及びＨＮＢに対してはさまざまなサービスへの対応が求められている。例えば、オペレータは、ある決められたＨｅＮＢ及びＨＮＢに移動端末を登録させ、登録した移動端末のみにＨｅＮＢ及びＨＮＢのセルへのアクセスを許可することで、該移動端末が使用できる無線リソースを増大させて高速に通信を行えるようにする。その分、オペレータは課金料を通常よりも高く設定する。といったサービスである。こういったサービスを実現するため、登録した（加入した、メンバーとなった）移動端末のみがアクセスできるＣＳＧ（Closed Subscriber Group cell）セルが導入されている。
【００２０】
ＣＳＧ（Closed Subscriber Group cell）セルは、商店街やマンション、学校、会社などへ数多く設置されることが要求される。たとえば、商店街では店舗ごと、マンションでは部屋ごと、学校では教室ごと、会社ではセクションごとにＣＳＧセルを設置し、各ＣＳＧセルに登録したユーザのみが該ＣＳＧセルを使用可能とするような使用方法が要求されている。
【００２１】
一方、他のサービスとして、該ＣＳＧセルに対して、登録した移動端末のみではなく、登録していない移動端末にも一部の無線リソースを使用させることも考えられている。例えば、商店街の店舗に設置されたＣＳＧセルでは、店員の移動端末のみを該ＣＳＧに登録して高速通信可能とするだけでなく、該ＣＳＧに登録していないお客の移動端末にも利用させることが要求される。このような場合に対応するため、ＨｅＮＢ及びＨＮＢに対して、「ハイブリッドアクセスモード」(Hybrid access mode)の運用が提案されている。「ハイブリッドアクセスモード」とは、登録した移動端末のみアクセス可能な第一の動作モードである「クローズドアクセスモード」(closed access mode)と、登録していない移動端末がアクセス可能な第二の動作モードである「オープンアクセスモード」(open access mode)の両方を同時にサービスするＣＳＧセルの動作形態を示す(第三の動作モード)。この場合、登録した移動端末に対してはアクセスを許可するか判断しつつ、登録していない移動端末に対してもアクセスを許可するものである。したがって、商店街やマンションなどに数多く設置されたＨｅＮＢ及びＨＮＢは、オープンアクセスモードで動作するＣＳＧセル、クローズドアクセスモードで動作するＣＳＧセルが混在することになる。また、ＨｅＮＢ及びＨＮＢは可搬なサイズ、重量を想定しており、これらの設置や撤去は頻繁にかつ柔軟に行われることも要求される。このような要求を考慮すると、ある地点においては同時に多数のいろいろなモードのセルからの電波が送信されることになる。つまり、商店街やマンションなどでは、移動端末が多数のいろいろなモードのセルからの電波が届く位置にいる状況が発生する。
【００２２】
このように、オープンアクセスモード、クローズドアクセスモード、ハイブリッドアクセスモードのような異なる動作モードに設定された多数のセルからの電波が届く位置にいる移動端末の場合、多くのアクセス不可能なクローズドアクセスモードのセル（ＣＳＧセル）、つまりユーザアクセス登録していないＣＳＧセルを延々とサーチやセル選択を繰り返す状況が生じる。また、セルサーチを行い、選択したセルがハイブリッドアクセスモードのセル、つまりクローズドアクセスモードとオープンアクセスモードをサポートするセルであるにもかかわらず、ユーザアクセス登録していない移動端末はアクセスが不可能という状態になってしまい、再度セルサーチやセル選択を延々と繰り返す状況が生じてしまう。このような場合、システムに制御遅延や無線リソースの使用効率及びシグナリング効率の低下を引き起こす。また、セルサーチを繰り返す移動端末の消費電力が大きくなるという問題が生じる。これらの問題は前述したような将来の多数のいろいろなモードのＨｅＮＢ、ＨＮＢの配置状況を想定すると重要な問題となる。本発明はこれらの問題を解消するためになされたものである。
【課題を解決するための手段】
【００２３】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、特定の移動端末ないし加入者に利用を許可する通信セルである特定加入者用セル及び不特定の移動端末ないし利用者が利用可能な通信セルである不特定利用者用セルに設けられた基地局と、複数の基地局を介して移動端末が位置する所望のトラッキングエリアを管理するとともに、移動端末にページング処理を行う基地局制御装置を含み、移動端末は、通信セルそれぞれに割り当てられた情報であって、通信セルを識別するための情報であるセル識別情報（ＰＣＩ）を基地局より受信し、通信を行うセルの選択を行う移動体通信システムにおいて、特定加入者用セルは、特定の移動端末ないし加入者に利用を許可する第一の動作モードと不特定の移動端末ないし利用者に利用を許可する第二の動作モードとを同時に運用可能であり、通信セルに割り当て可能なセル識別情報は、特定加入者用セルに割り当てる第一分類と、不特定利用者用セルに割り当てる第二分類に分類されており、第二の動作モードで動作している特定加入者用セルには第一分類に含まれるセル識別情報が割り当てられるものである。
【００２４】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、特定の移動端末ないし加入者に利用を許可する通信セルである特定加入者用セル及び不特定の移動端末ないし利用者が利用可能な通信セルである不特定利用者用セルに設けられた基地局と、複数の基地局を介して移動端末が位置する所望のトラッキングエリアを管理するとともに、移動端末にページング処理を行う基地局制御装置を含み、移動端末は、通信セルそれぞれに割り当てられた情報であって、通信セルを識別するための情報であるセル識別情報（ＰＣＩ）を基地局より受信し、通信を行うセルの選択を行う移動体通信システムにおいて、特定加入者用セルは、特定の移動端末ないし加入者に利用を許可する第一の動作モードと不特定の移動端末ないし利用者に利用を許可する第二の動作モードと、第一の動作モードと第二の動作モードとを同時に処理する第三の動作モードで運用可能であり、通信セルに割り当て可能なセル識別情報は、特定加入者用セルに割り当てる第一分類と、不特定利用者用セルに割り当てる第二分類に分類されており、第三の動作モードで動作している特定加入者用セルには第一分類に含まれるセル識別情報が割り当てられるものである。
【発明の効果】
【００２５】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、特定の移動端末ないし加入者に利用を許可する通信セルである特定加入者用セル及び不特定の移動端末ないし利用者が利用可能な通信セルである不特定利用者用セルに設けられた基地局と、複数の基地局を介して移動端末が位置する所望のトラッキングエリアを管理するとともに、移動端末にページング処理を行う基地局制御装置を含み、移動端末は、通信セルそれぞれに割り当てられた情報であって、通信セルを識別するための情報であるセル識別情報（ＰＣＩ）を基地局より受信し、通信を行うセルの選択を行う移動体通信システムにおいて、特定加入者用セルは、特定の移動端末ないし加入者に利用を許可する第一の動作モードと不特定の移動端末ないし利用者に利用を許可する第二の動作モードとを同時に運用可能であり、通信セルに割り当て可能なセル識別情報は、特定加入者用セルに割り当てる第一分類と、不特定利用者用セルに割り当てる第二分類に分類されており、第二の動作モードで動作している特定加入者用セルには第一分類に含まれるセル識別情報が割り当てられるので、ホワイトリストを有する移動端末がＣＳＧセル用のＰＣＩ範囲に属するＰＣＩを用いてサーチを行うことにより、サーチ動作を高速に運用できるという効果を得ることが出来る。このことは移動体通信システムの制御遅延を防止するという効果を得ることが出来る。また、移動端末の消費電力の低減という効果を得ることが出来る。
【００２６】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、特定の移動端末ないし加入者に利用を許可する通信セルである特定加入者用セル及び不特定の移動端末ないし利用者が利用可能な通信セルである不特定利用者用セルに設けられた基地局と、複数の基地局を介して移動端末が位置する所望のトラッキングエリアを管理するとともに、移動端末にページング処理を行う基地局制御装置を含み、移動端末は、通信セルそれぞれに割り当てられた情報であって、通信セルを識別するための情報であるセル識別情報（ＰＣＩ）を基地局より受信し、通信を行うセルの選択を行う移動体通信システムにおいて、特定加入者用セルは、特定の移動端末ないし加入者に利用を許可する第一の動作モードと不特定の移動端末ないし利用者に利用を許可する第二の動作モードと、第一の動作モードと第二の動作モードとを同時に処理する第三の動作モードで運用可能であり、通信セルに割り当て可能なセル識別情報は、特定加入者用セルに割り当てる第一分類と、不特定利用者用セルに割り当てる第二分類に分類されており、第三の動作モードで動作している特定加入者用セルには第一分類に含まれるセル識別情報が割り当てられるので、ホワイトリストを有する移動端末がＣＳＧセル用のＰＣＩ範囲に属するＰＣＩを用いてサーチを行うことにより、サーチ動作を高速に運用できるという効果を得ることが出来る。このことは移動体通信システムの制御遅延を防止するという効果を得ることが出来る。また、移動端末の消費電力の低減という効果を得ることが出来る。
【発明を実施するための最良の形態】
【００２７】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB(NB)、GERANのBSS）とを含めたシステムの全体的な構成が検討されており、ｅ−ＵＴＲＡＮについては、図７の（ａ）や（ｂ）のような構成が提案されている（非特許文献１、非特許文献３）。図７（ａ）について説明する。移動端末（ＵＥ）７１は基地局７２と送受信を行う。基地局７２はｅＮＢ（non-CSGセル）７２−１と、Ｈｏｍｅ−ｅＮＢ（CSGセル）７２−２とに分類される。ｅＮＢ７２−１はＭＭＥ７３とインタフェースＳ１により接続され、ｅＮＢとＭＭＥとの間で制御情報が通信される。ひとつのｅＮＢに対して複数のＭＭＥが接続される。Ｈｏｍｅ−ｅＮＢ７２−２はＭＭＥ７３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。
【００２８】
次に、図７（ｂ）について説明する。移動端末（ＵＥ）７１は基地局７２と送受信を行う。基地局７２はｅＮＢ（non-CSGセル）７２−１と、Ｈｏｍｅ−ｅＮＢ（CSGセル）７２−２とに分類される。図７（ａ）と同じように、ｅＮＢ７２−１はＭＭＥ７３とインタフェースＳ１により接続され、ｅＮＢとＭＭＥとの間で制御情報が通信される。ひとつのｅＮＢに対して複数のＭＭＥが接続される。一方、Ｈｏｍｅ−ｅＮＢ７２−２はＨｅＮＢＧＷ（Home-eNB GateWay）７４を介してＭＭＥ７３と接続される。Ｈｏｍｅ−ｅＮＢとＨｅＧＷはインタフェースＳ１により接続され、ＨｅＮＢＧＷ７４とＭＭＥ７３はインタフェースＳ１＿ｆｌｅｘを介して接続される。ひとつまたは複数のＨｏｍｅ−ｅＮＢ７２−２がひとつのＨｅＮＢＧＷ７４と接続され、Ｓ１を通して情報が通信される。ＨｅＮＢＧＷ７４はひとつまたは複数のＭＭＥ７３と接続され、Ｓ１＿ｆｌｅｘを通して情報が通信される。
【００２９】
図７（ｂ）の構成を用いて、ひとつのＨｅＮＢＧＷ７４を、同じＣＳＧ−ＩＤに属するＨｏｍｅ−ｅＮＢと接続することによって、例えばレジストレーション情報など、同じ情報をＭＭＥ７３から同じＣＳＧ−ＩＤに属する複数のＨｏｍｅ−ｅＮＢ７２−２に送信する場合、一旦ＨｅＮＢＧＷ７４へ送信し、そこから複数のＨｏｍｅ−ｅＮＢ７２−２へ送信することで、複数のＨｏｍｅ−ｅＮＢ７２−２に対してそれぞれ直接に送信するよりもシグナリング効率を高められる。一方、各Ｈｏｍｅ−ｅＮＢ７２−２がそれぞれ個別の情報をＭＭＥ７３と通信する場合は、ＨｅＮＢＧＷ７４を介すがそこで情報を加工することなく通過（透過）させるだけにしておくことで、Ｈｏｍｅ−ｅＮＢ７２−２とＭＭＥ７３があたかも直接接続されているように通信することも可能となる。
【００３０】
図８は、本発明に係る移動端末（図７の端末７１）の構成を示すブロック図である。図８に示す移動端末の送信処理を説明する。まず、プロトコル処理部８０１からの制御データ、アプリケーション部８０２からのユーザデータが送信データバッファ部８０３へ保存される。送信データバッファ部８０３に保存されたデータはエンコーダー部８０４へ渡され、誤り訂正などのエンコード処理が施される。エンコード処理を施さずに送信データバッファ部８０３から変調部８０５へ直接出力されるデータが存在しても良い。エンコーダー部８０４でエンコード処理されたデータは変調部８０５にて変調処理が行われる。変調されたデータはベースバンド信号に変換された後、周波数変換部８０６へ出力され、無線送信周波数に変換される。その後、アンテナ８０７から基地局３１２に送信信号が送信される。また、移動端末３１１の受信処理は以下のとおり実行される。基地局３１２からの無線信号がアンテナ８０７により受信される。受信信号は、周波数変換部８０６にて無線受信周波数からベースバンド信号に変換され、復調部８０８において復調処理が行われる。復調後のデータはデコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末の一連の処理は制御部８１０によって制御される。よって制御部８１０は、図面では省略しているが、各部（801〜809）と接続している。
【００３１】
図９は、本発明に係る基地局（図７の基地局７２）の構成を示すブロック図である。図９に示す基地局の送信処理を説明する。ＥＰＣ通信部９０１は、基地局７２とＥＰＣ（MME73,HeNBGW74など）間のデータの送受信を行う。他基地局通信部９０２は、他の基地局との間のデータの送受信を行う。ＥＰＣ通信部９０１、他基地局通信部９０２はそれぞれプロトコル処理部９０３と情報の受け渡しを行う。プロトコル処理部９０３からの制御データ、またＥＰＣ通信部９０１と他基地局通信部９０２からのユーザデータ及び制御データが送信データバッファ部９０４へ保存される。送信データバッファ部９０４に保存されたデータはエンコーダー部９０５へ渡され、誤り訂正などのエンコード処理が施される。エンコード処理を施さずに送信データバッファ部９０４から変調部９０６へ直接出力されるデータが存在しても良い。エンコードされたデータは変調部９０６にて変調処理が行われる。変調されたデータはベースバンド信号に変換された後、周波数変換部９０７へ出力され、無線送信周波数に変換される。その後、アンテナ９０８より一つもしくは複数の移動端末７１に対して送信信号が送信される。また、基地局７２の受信処理は以下のとおり実行される。ひとつもしくは複数の移動端末３１１からの無線信号がアンテナ９０８により受信される。受信信号は周波数変換部９０７にて無線受信周波数からベースバンド信号に変換され、復調部９０９で復調処理が行われる。復調されたデータはデコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１、他基地局通信部９０２へ渡される。基地局７２の一連の処理は制御部９１１によって制御される。よって制御部９１１は図面では省略しているが各部（901〜910）と接続している。
【００３２】
図１０は、本発明に係るＭＭＥ(Mobility Management Entity)の構成を示すブロック図である。ＰＤＮ  ＧＷ通信部１００１はＭＭＥ７３とＰＤＮ  ＧＷ間のデータの送受信を行う。基地局通信部１００２はＭＭＥ７３と基地局７２間をＳ１インタフェースによるデータの送受信を行う。ＰＤＮ  ＧＷから受信したデータがユーザデータであった場合、ユーザデータはＰＤＮ  ＧＷ通信部１００１からユーザプレイン処理部１００３経由で基地局通信部１００２に渡され、１つあるいは複数の基地局７２へ送信される。基地局７２から受信したデータがユーザデータであった場合、ユーザデータは基地局通信部１００２からユーザプレイン処理部１００３経由でＰＤＮ  ＧＷ通信部１００１に渡され、ＰＤＮ  ＧＷへ送信される。
【００３３】
ＰＤＮ  ＧＷから受信したデータが制御データであった場合、制御データはＰＤＮ  ＧＷ通信部１００１から制御プレイン制御部１００５へ渡される。基地局７２から受信したデータが制御データであった場合、制御データは基地局通信部１００２から制御プレイン制御部１００５へ渡される。ＨｅＮＢＧＷ通信部１００４は、ＨｅＮＢＧＷ７４が存在する場合に設けられ、情報種別によって、ＭＭＥ７３とＨｅＮＢＧＷ７４間のインタフェース（ＩＦ）によるデータの送受信を行う。ＨｅＮＢＧＷ通信部１００４から受信した制御データはＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００３４】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１はＮＡＳ（Non-Access Stratum）メッセージのセキュリティなどを行う。ＳＡＥベアラコントロール部１００５―２はＳＡＥ（System Architecture Evolution）のベアラの管理などを行う。アイドルステートモビリティ管理部１００５―３は、待受け（LTE‐IDLE状態、単にアイドルとも称される）状態のモビリティ管理、待受け状態時のページング信号の生成及び制御、傘下の１つあるいは複数の移動端末７１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area: TA）に属するセルへページングメッセージを送信することで、ページングプロトコルに着手する。ＭＭＥに接続されるＨｏｍｅ−ｅＮＢ７２−２のＣＳＧの管理やＣＳＧ−ＩＤの管理、そしてホワイトリスト管理を、アイドルステートモビリティ管理部１００５―３で行っても良い。ＣＳＧ−ＩＤの管理では、ＣＳＧ−ＩＤに対応する移動端末とＣＳＧセルの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルの関係であっても良い。ホワイトリスト管理では、移動端末とＣＳＧ−ＩＤの関係が管理（追加、削除、更新、検索）される。例えば、ホワイトリストには、ある移動端末がユーザ登録した一つまたは複数のＣＳＧ−ＩＤが記憶されても良い。これらのＣＳＧに関する管理はＭＭＥ７３の中の他の部分で行われても良いが、アイドルステートモビリティ管理部１００５―３で行うことで、現在３ＧＰＰ会合で議論されている、ＣＳＧ−ＩＤの代わりにトラッキングエリアコード（Tracking Area Code）を用いる方法が効率よく行える。ＭＭＥ３１３の一連の処理は制御部１００６によって制御される。よって制御部１００６は図面では省略しているが各部（1001〜1005）と接続している。
【００３５】
図１１は、本発明に係るＨｅＮＢＧＷの構成を示すブロック図である。ＥＰＣ通信部１１０１はＨｅＮＢＧＷ７４とＭＭＥ７３間をＳ１＿ｆｌｅｘインタフェースによるデータの送受信を行う。基地局通信部１１０２はＨｅＮＢＧＷ７４とＨｏｍｅ−ｅＮＢ７２−２間をＳ１インタフェースによるデータの送受信を行う。ロケーション処理部１１０３は、ＥＰＣ通信部１１０１経由で渡されたＭＭＥ７３からのデータのうちレジストレーション情報など、複数のＨｏｍｅ−ｅＮＢに送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は制御部１１０４によって制御される。よって制御部１１０４は図面では省略しているが各部（1101〜1103）と接続している。
【００３６】
次に移動体通信システムにおける一般的なセルサーチ方法の一例を示す。図１２は、ＬＴＥ方式の通信システムにおいて移動端末（UE）が行うセルサーチから待ち受け動作までの概略を示すフローチャートである。移動端末にてセルサーチが開始されると、ステップＳＴ１２０１で周辺の基地局から送信される第一同期信号（P−SS）、第二同期信号（S−SS）を用いてスロットタイミング、フレームタイミングの同期をとる。Ｐ−ＳＳとＳ−ＳＳあわせて、同期信号（SS）にはセル毎に割り当てられたＰＣＩ（Physical Cell Identity）に１対１対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。次に同期がとれたセルに対して、ステップＳＴ１２０２で、基地局からセル毎に送信される参照信号ＲＳ（Reference Signal）を検出し受信電力の測定を行う。参照信号ＲＳにはＰＣＩと１対１に対応したコードが用いられており、そのコードで相関をとることによって他セルと分離できる。ＳＴ１２０１で特定したＰＣＩから該セルのＲＳ用のコードを導出すことによって、ＲＳを検出し、ＲＳ受信電力を測定することが可能となる。次にＳＴ１２０３で、ＳＴ１２０２までで検出されたひとつ以上のセルの中から、ＲＳの受信品質が最も良いセル（例えば、ＲＳの受信電力が最も高いセル）（ベストセル）を選択する。次にＳＴ１２０４でベストセルのＰＢＣＨを受信して、報知情報であるＢＣＣＨを得る。ＰＢＣＨ上のＢＣＣＨには、セル構成情報が含まれるＭＩＢ（Master Information Block）がのる。ＭＩＢの情報としては、例えば、ＤＬ（ダウンリンク）システム帯域幅、送信アンテナ数、ＳＦＮ（System Frame Number）などがある。
【００３７】
次に１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には該セルへのアクセスに関する情報や、セルセレクションに関する情報、他のＳＩＢ（SIBk;k≧2の整数）のスケジューリング情報が含まれる。また、ＳＩＢ１にはＴＡＣ（Tracking Area Code）が含まれる。次にＳＴ１２０６で、移動端末は、ＳＴ１２０５で受信したＴＡＣと、移動端末が既に保有しているＴＡＣと比較する。比較した結果、同じならば、該セルで待ち受け動作に入る。比較して異なる場合は、移動端末は該セルを通してコアネットワーク（Core Network, EPC）（ＭＭＥなどが含まれる）へ、ＴＡＵ（Tracking Area Update）を行うためＴＡの変更を要求する。コアネットワークは、ＴＡＵ要求信号とともに移動端末から送られてくる該移動端末の識別番号（UE−IDなど）をもとに、ＴＡの更新を行う。コアネットワークはＴＡの更新後、移動端末にＴＡＵ受領信号を送信する。移動端末は該セルのＴＡＣで、移動端末が保有するＴＡＣ（あるいはＴＡＣリスト）を書き換える（更新する）。その後移動端末は該セルで待ち受け動作に入る。
【００３８】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末がひとつのＣＳＧを構成する。このように構成されたＣＳＧにはＣＳＧ−ＩＤと呼ばれる固有の識別番号が付される。なお、ひとつのＣＳＧには複数のＣＳＧセルがあっても良い。移動端末はどれかひとつのＣＳＧセルに登録すればそのＣＳＧセルが属するＣＳＧの他のＣＳＧセルにはアクセス可能となる。また、ＬＴＥでのＨｏｍｅ−ｅＮＢやＵＭＴＳでのＨｏｍｅ−ＮＢがＣＳＧセルとして使われることがある。ＣＳＧセルに登録した移動端末は、ホワイトリストを有する。具体的にはホワイトリストはＳＩＭ／ＵＳＩＭに記憶される。ホワイトリストには、移動端末が登録したＣＳＧセルのＣＳＧ情報がのる。ＣＳＧ情報として具体的には、ＣＳＧ−ＩＤ、ＴＡＩ（Tracking Area Identity）、ＴＡＣなどが考えられる。ＣＳＧ−ＩＤとＴＡＣが対応づけられていれば、どちらか一方で良い。また、ＣＳＧ−ＩＤやＴＡＣとＧＣＩ（Global Cell Identity）が対応付けられていればＧＣＩでもよい。以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５）。またＰＣＩスプリット情報は、システム情報にて基地局から傘下の移動端末に対して報知されることが議論されている。ＰＣＩスプリットを用いた移動端末の基本動作を開示する。ＰＣＩスプリット情報を有しない移動端末は、全ＰＣＩを用いて（例えば５０４コード全てを用いて）セルサーチを行う必要がある。対してＰＣＩスプリット情報を有する移動端末は、当該ＰＣＩスプリット情報を用いてセルサーチを行うことが可能である。
非特許文献６にＨｅＮＢ及びＨＮＢへのアクセスの３つの異なるモードが開示されている。オープンアクセスモード（Open access mode）とクローズドアクセスモード（Closed access mode）とハイブリッドアクセスモード（Hybrid access mode）である。各々のモードは以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。
【００３９】
ハイブリッドアクセスモードの実用例を以下に示す。ショッピングモール内でのカバレッジを改善するためＨｅＮＢ（ＨＮＢでも良い）が配置されたと考える。当該ＨｅＮＢをハイブリッドアクセスモードで運用した場合を考える。ショッピングモールの所有者、従業員は当該ＨｅＮＢに登録することにより、当該ＨｅＮＢ経由でサービスを受ける場合、課金優遇が受けられるとする。この使用方法はクローズドアクセスモードの使用方法である。一方、当該ＨｅＮＢに未登録であるお客も、当該ＨｅＮＢ経由でサービスを受けることができる。この使用方法はオープンアクセスモードの使用方法である。上記のようにハイブリッドアクセスモードとは、登録済みのユーザにはクローズドアクセスモードとして動作し、未登録のユーザにはオープンアクセスモードとして同時に動作するモードである。よってハイブリッドアクセスモードは、オープンアクセスモード及びクローズドアクセスモードと性質を異にする。
【００４０】
また、クローズドアクセスモードのサービスの具体例を示す。登録した移動端末のみにセルへのアクセスを許可することで、該移動端末が使用できる無線リソースを増大させて高速に通信を行えるようにする。その分、オペレータは課金料を通常よりも高く設定する。といったサービスである。それに対して、ハイブリッドアクセスモードのセルは、クローズドアクセスモードとオープンアクセスモードの両方を同時にサービスする。この場合、登録した移動端末のみがアクセス許可されるわけではない。オープンアクセスモードの移動端末も該セルの無線リソースを使用する。従って、ハイブリッドアクセスモードのセルにおけるクローズドアクセスモードの通信速度は、クローズドアクセスモードセルの通信速度以下となる。オペレータはこの分、課金料を安くする。このようなサービスの使い分けが検討されている。従って、移動端末は、セルサーチ、セル選択したセルから、クローズドアクセスモードセルを選択するのか、ハイブリッドアクセスモードセルを選択するのか判断できるようにすることが必要となる。このため、３ＧＰＰにおいては、セルのアクセスモードが、Hybridかclosedかを示すインジケータ（Hybrid access indicator）を報知情報にのせて傘下の移動端末に報知することが提案されている（非特許文献８）。非特許文献７では、ＰＣＩスプリットに関するシグナリングについて記載されている。しかし、ＨｅＮＢおよびＨＮＢのハイブリッドアクセスモードに関する記載はない。
【００４１】
非特許文献７では、ＰＣＩスプリット情報のシグナリング方法について記載がされている。非特許文献７で示されているシグナリング方法においては、開始コードや列挙値にてコード値を通知する必要がある。全ＰＣＩにて例えば５０４コードが存在する場合、５０４通りのコードを示すために９ビットが必要となる。本実施の形態では、非特許文献７とは別の方法でＰＣＩスプリット情報を基地局から移動端末へ通知する方法を開示する。本実施の形態では、ＰＣＩコードを「割る数」と「余りの数」によりＰＣＩスプリット情報を示す。具体例としては、（ＰＣＩコード数）ＭＯＤ Ｘ＝Ｙとする。このＸとＹの値によりＰＣＩスプリット情報を示す。例えばＸを２とし、Ｙ=０をＣＳＧセル用、Ｙ=１をｎｏｎ−ＣＳＧセル用とすればよい。基地局から移動端末へ無線リソースを用いて通知するＰＣＩスプリット情報は、Ｘ値とＣＳＧセル用のＹ値、ｎｏｎ−ＣＳＧセル用のＹ値となり、コード値を通知する非特許文献７の方法と比較して情報量が減り、無線リソースの有効活用という効果を得ることが出来る。また例えばＹ=０をｎｏｎ−ＣＳＧセル用に割り当てると静的あるいは準静的に決定しておけば、基地局から移動端末へはＸ値とＣＳＧセル用のＹ値のみで良い。これによりさらなる、情報量の削減が可能となり、無線リソースの有効活用が図れる。また、Ｘ値を変更することによりＣＳＧセル用のＰＣＩ範囲とｎｏｎ−ＣＳＧセル用のＰＣＩ範囲の比率を容易に変更可能となる利点がある。例えばＸを３とし、Ｙ=０、１をＣＳＧセル用、Ｙ=２をｎｏｎ−ＣＳＧセル用とすればよい。これによりＣＳＧセル用のＰＣＩ範囲がｎｏｎ−ＣＳＧセル用のＰＣＩ範囲と比較して２倍の範囲とできる。
【００４２】
実施の形態２．
本実施の形態の課題を以下に示す。ＨｅＮＢ（ＨＮＢでも良い）がハイブリッドアクセスモードで運用されている場合、ＣＳＧセルとは言え非ＣＳＧメンバーも同時にアクセス許可されているセルである。よってハイブリッドアクセスモードで運用されるＨｅＮＢに従来のＰＣＩスプリットにてｎｏｎ−ＣＳＧセル用のＰＣＩ範囲に含まれるＰＣＩを割り当てると考える。この場合、ホワイトリストを有する移動端末（いずれかのＣＳＧセルへ登録している移動端末）がＰＣＩスプリット情報を受信後、セルサーチ動作にてｎｏｎ−ＣＳＧセル用のＰＣＩ範囲に含まれるＰＣＩが割り当てられているハイブリッドアクセスモードで運用されるＨｅＮＢを対象から外してしまうという問題が発生する。ハイブリッドアクセスモードで運用されるＨｅＮＢに登録しているにも関わらず、サーチ対象から外してしまう移動端末が存在する。これは、登録を行っている移動端末が当該ＣＳＧセルで通信を行う場合、課金優遇が受けることができる移動体通信システムの場合、ハイブリッドアクセスモードで運用されるＨｅＮＢに登録している移動端末が当該ＨｅＮＢのカバレッジ内にも関わらず、当該ＨｅＮＢをサーチ対象から外してしまい、課金優遇が受けられないというユーザにとって不利益となる課題が発生する。逆に、上記にてハイブリッドアクセスモードで運用されるＨｅＮＢをサーチ対象から外さないとすれば、ホワイトリストを有する移動端末がＰＣＩスプリット情報を受信後であっても全セルを対象にセルサーチ動作を行うことになり、ＣＳＧセルを選択（あるいは、セル再選択）するまでの時間が長くなるという問題が発生する。これによりシステムの制御遅延、移動端末の消費電力の増大という課題が発生する。
【００４３】
本実施の形態では、以下の方法で上記課題を解決する。移動体通信システムとしてハイブリッドアクセスモードで運用されているＨｅＮＢに対してＣＳＧセル用のＰＣＩを割り当てる。従来技術のように、従来のＰＣＩスプリットでのＣＳＧセル用のＰＣＩ範囲に属するＰＣＩをＣＳＧセルにのみ割当てるのではなく、本実施の形態ではＣＳＧセル及びハイブリッドアクセスモードで運用されるＨｅＮＢに割当てる。概念について図１３を用いて説明する。図１３に現在の３ＧＰＰの議論におけるＰＣＩスプリットの概念図を示す。範囲Ａは全ＰＣＩを示している。例えば５０４通り（５０４コード）である。例えばＣＳＧセル用のＰＣＩ範囲を範囲Ｂとする。例えばｎｏｎ−ＣＳＧセル用のＰＣＩ範囲を範囲Ｃとする。本実施の形態では、例えば範囲Ｂに属するＰＣＩをＣＳＧセルとハイブリッドアクセスモードで運用されるＨｅＮＢに割り当てる。また範囲Ｃに属するＰＣＩをｎｏｎ−ＣＳＧセルに割り当てる。図１３に示す概念を言い換えれば、セル識別情報(ＰＣＩ)は、ＣＳＧセル（特定加入者用セル）に割り当てる範囲Ｂに含まれるＰＣＩ（第一分類）と、ｎｏｎ−ＣＳＧセル（不特定利用者用セル）に割り当てる範囲Ｃに含まれるＰＣＩ（第二分類）の２つの類型に分類されている。本実施の形態においては、ハイブリッドアクセスモードで動作しているセルには、範囲Ｂに含まれるＰＣＩが割り当てられる。
【００４４】
次に図１５を用いて、本実施の形態における移動端末としての動作の一例を説明する。ステップＳＴ６１０１にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ６１０２へ移行する。有している場合、ステップＳＴ６１０４へ移行する。ステップＳＴ６１０２にて移動端末は、全ＰＣＩ範囲にてセルサーチを行う。ステップＳＴ６１０３にて移動端末はセル選択が行われたか否かを判断する。行われていた場合、処理を終了する。行われていない場合、ステップＳＴ６１０１へ戻る。
【００４５】
ステップＳＴ６１０３で行われるセル選択の詳細動作例について図１４を用いて説明する。ステップＳＴ１５０１にて移動端末は、リファレンスシグナル（Reference signal：ＲＳ）の受信品質が最も良いセル（例えば、ＲＳの受信電力が最も高いセル）をベストセルとして選択する。ステップＳＴ１８０１にて移動端末は、当該ベストセルがＣＳＧセルであるか、ｎｏｎ−ＣＳＧセルであるかハイブリッドアクセスモードで運用されているＨｅＮＢであるかを判断する。この判断には基地局から報知されるシステム情報にマッピングされるＣＳＧインジケータ（非特許文献９）を用いることができる。また、基地局から報知されるシステム情報にマッピングされるハイブリッドアクセスインジケータ（非特許文献８）を用いることができる。ｎｏｎ−ＣＳＧセルであった場合、ステップＳＴ１５０３へ移行する。ＣＳＧセルであった場合、ステップＳＴ１５０８へ移行する。ハイブリッドアクセスモードで運用されているＨｅＮＢであった場合、ステップＳＴ１８０２へ移行する。ステップＳＴ１５０３にて移動端末は、現在のセルサーチにてＣＳＧセルを優先してセル選択するか否かを判断する。ＣＳＧセルを優先してセル選択を行わない場合、ステップＳＴ１５０４へ移行する。ＣＳＧセルを優先してセル選択を行う場合、ステップＳＴ１５０５へ移行する。ステップＳＴ１５０４にて移動端末は、当該セルを選択する。その後処理を終了する。ステップＳＴ１５０５にて移動端末は、当該セルをセルサーチの対象から外し、ステップＳＴ１５０６へ移行する。ステップＳＴ１５０６にて移動端末は、サーチを続けるか否かを判断する。続けるか否かの具体的な判断例は、他にセルサーチの対象となるセルが存在する場合はサーチを続けると判断し、他にセルサーチの対象となるセルが存在しない場合はサーチを続けないと判断する。またセルサーチ開始からセル選択を完了させるまでの許容時間内であればサーチを続けると判断し、許容時間が満了すれば、あるいは満了していればサーチを続けないと判断する。サーチを続ける場合、ステップＳＴ１５０７へ移行する。サーチを続けない場合、処理を終了する。ステップＳＴ１５０７にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１５０１へ戻る。有している場合、図１５のステップＳＴ６１０４へ移行する。
【００４６】
ステップＳＴ１５０８にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ１５０９へ移行する。ＣＳＧ−ＩＤを有していない場合、あるいはＣＳＧセルへ登録していない場合、ステップＳＴ１５１０へ移行する。ステップＳＴ１５０９にて移動端末は、当該セルのＣＳＧ−ＩＤをホワイトリスト内に有しているか否かを判断する。言い換えれば、当該セルのＣＳＧ−ＩＤへ登録しているか否かを判断する。当該ＣＳＧ−ＩＤを有している場合、あるいは当該ＣＳＧ−ＩＤへ登録している場合、ステップＳＴ１５０４へ移行する。当該ＣＳＧ−ＩＤを有していない場合、あるいは当該ＣＳＧ−ＩＤへ登録していない場合は、ステップＳＴ１５１０へ移行する。ステップＳＴ１５１０にて移動端末は、当該セルをセルサーチの対象から外し、ステップＳＴ１５１１へ移行する。ステップＳＴ１５１１にて移動端末は、サーチを続けるか否かを判断する。続けるか否かの具体的な判断例は、他にセルサーチの対象となるセルが存在する場合はサーチを続けると判断し、他にセルサーチの対象となるセルが存在しない場合はサーチを続けないと判断する。またセルサーチ開始からセル選択を完了させるまでの許容時間内であればサーチを続けると判断し、許容時間が満了すれば、あるいは満了していればサーチを続けないと判断する。サーチを続ける場合、ステップＳＴ１５１２へ移行する。サーチを続けない場合、処理を終了する。ステップＳＴ１５１２にて移動端末は、本実施の形態で開示したＰＣＩスプリット情報を基地局（マクロセル、ＨｅＮＢ、ＨＮＢ、ＣＳＧセル、ｎｏｎ−ＣＳＧセルなど）から受信し、ＰＣＩスプリット情報を有しているか否かを判断する。有していない場合、ステップＳＴ１５０１へ戻る。有している場合、図１５のステップＳＴ６１０４へ移行する。ステップＳＴ１８０２にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ１８０３へ移行する。ＣＳＧ−ＩＤを有していない場合、あるいはＣＳＧセルへ登録していない場合、ステップＳＴ１５０４へ移行する。ステップＳＴ１８０３にて移動端末は、ＣＳＧセルを優先してセル選択するか否かを判断する。ＣＳＧセルを優先してセル選択を行わない場合、ステップＳＴ１５０４へ移行する。ＣＳＧセルを優先してセル選択を行う場合、ステップＳＴ１５０９へ移行する。
【００４７】
ステップＳＴ６１０４にて移動端末は、ホワイトリスト内にＣＳＧ−ＩＤを有しているか否かを判断する。言い換えれば、いずれかのＣＳＧセルへ登録しているか否かを判断する。ＣＳＧ−ＩＤを有している場合、あるいはＣＳＧセルへ登録している場合、ステップＳＴ６１０５へ移行する。ＣＳＧ−ＩＤを有していない場合、あるいはＣＳＧセルへ登録していない場合、ステップＳＴ６１０９へ移行する。ステップＳＴ６１０５にて移動端末は、本実施の形態で開示したＰＣＩスプリット情報にてＣＳＧセル用のＰＣＩ範囲に属するＰＣＩにてセルサーチを行い、ステップＳＴ６１０６へ移行する。ステップＳＴ６１０６にて移動端末は、セル選択が行われたか否かを判断する。行われていた場合、処理を終了する。行われていない場合、ステップＳＴ６１０７へ移行する。ステップＳＴ６１０６で行われるセル選択の詳細動作例について図１４を用いて説明する。ステップＳＴ６１０６ではステップ６１０３と異なり、ＰＣＩスプリット情報を有し、ＣＳＧセル用のＰＣＩ範囲に属するＰＣＩにてセルサーチを行い、かつホワイトリストを有する移動端末のセル選択動作である。よって図１４にてステップ１５０１の処理後、ステップＳＴ１８０１にてＣＳＧセル、あるいはハイブリッドアクセスモードで運用されているＨｅＮＢであると判断される。ＣＳＧセルと判断された場合、ステップＳＴ１５０８へ進み、ステップＳＴ１５０８でＹＥＳと判断され、ステップＳＴ１５０９で判断され、ステップＳＴ１５０４、あるいはステップＳＴ１５１０の処理へ進む。ステップＳＴ１５１０の処理後、ステップＳＴ１５１１で判断され、ステップＳＴ１５１２、あるいは処理を終了する。ステップＳＴ１５１２ではＹＥＳと判断される。ハイブリッドアクセスモードで運用されるＨｅＮＢであると判断された場合、ステップＳＴ１８０２でＹＥＳと判断され、ステップＳＴ１８０３にてＹＥＳと判断され、ステップＳＴ１５０９へ移行する。
【００４８】
ステップＳＴ６１０７にて移動端末は、周辺に登録しているＣＳＧセルが存在しない、またハイブリッドアクセスモードで運用されているＨｅＮＢが存在しないと判断しｎｏｎ−ＣＳＧセルを選択すべく、本実施の形態で開示したＰＣＩスプリット情報にてｎｏｎ−ＣＳＧセル用のＰＣＩ範囲に属するＰＣＩにてセルサーチを行い、ステップＳＴ６１０８へ移行する。ステップＳＴ６１０８にて移動端末は、セル選択が行われたか否かを判断する。行われていた場合、処理を終了する。行われていない場合、ステップＳＴ６１０５へ戻る。ステップＳＴ６１０８で行われるセル選択の詳細動作例について図１４を用いて説明する。ステップＳＴ６１０８ではステップ６１０３と異なり、ＰＣＩスプリット情報を有し、ｎｏｎ−ＣＳＧセル用のＰＣＩ範囲に属するＰＣＩにてセルサーチを行い、かつ現在のセルサーチにてＣＳＧセルを優先していない移動端末のセル選択動作である。よって図１４にてステップ１５０１の処理後、ステップＳＴ１８０１でｎｏｎ−ＣＳＧセルと判断され、ステップＳＴ１５０３でＮＯと判断され、ステップＳＴ１５０４の処理を行う。図１５のステップＳＴ６１０９にて移動端末は、全ＰＣＩ範囲にてセルサーチを行う。ステップＳＴ６１１０にて移動端末は、リファレンスシグナル（Reference signal：ＲＳ）の受信品質が最も良いセル（例えば、ＲＳの受信電力が最も高いセル）をベストセルとして選択する。ステップＳＴ６１１１にて移動端末は、当該ベストセルがｎｏｎ−ＣＳＧセル、あるいはハイブリッドアクセスモードで運用されるＨｅＮＢであるかを判断する。この判断には基地局から報知されるシステム情報にマッピングされるＣＳＧインジケータを用いることができる。また、基地局から報知されるシステム情報にマッピングされるハイブリッドアクセスインジケータを用いることができる。ｎｏｎ−ＣＳＧセル、あるいはハイブリッドアクセスモードで運用されるＨｅＮＢであった場合、ステップＳＴ６１１３へ移行する。ｎｏｎ−ＣＳＧセル、あるいはハイブリッドアクセスモードで運用されるＨｅＮＢで出なかった場合、言い換えればＣＳＧセルであった場合、ステップＳＴ６１１２へ移行する。ステップＳＴ６１１２にて移動端末は、当該セルをセルサーチの対象から外し、ステップＳＴ６１０９へ移行する。ステップＳＴ６１１３にて移動端末は、当該セルを選択する。その後処理を終了する。
【００４９】
本実施の形態により、以下の効果を得ることが出来る。ホワイトリストを有する移動端末がＣＳＧセル用のＰＣＩ範囲に属するＰＣＩを用いてサーチを行えば、ＣＳＧセルとハイブリッドアクセスモードで運用されているＨｅＮＢをサーチ対象とすることが可能となる。つまりｎｏｎ−ＣＳＧセル用のＰＣＩ範囲に属するＰＣＩを用いてサーチすることなく、ハイブリッドアクセスモードで運用されているＨｅＮＢをサーチ対象とすることが可能となる。従来の技術では、ホワイトリストを有する移動端末がハイブリッドアクセスモードで運用されているＨｅＮＢをサーチ対象とするためには、全ＰＣＩ範囲をサーチ対象とする必要があった。例えば、登録を行っている移動端末が当該ＣＳＧセルで通信を行う場合、課金優遇が受けられるという移動体通信システムにおいて、移動端末がＣＳＧセルあるいはハイブリッドアクセスモードで運用されているＨｅＮＢを優先的にセル選択したい場合、本実施の形態ではＰＣＩの検出の段階（図１２のステップＳＴ１２０１）でｎｏｎ−ＣＳＧセルを除いてセルサーチ動作を行うことが出来る。一方従来の技術では、システム情報であるＳＩＢ１を受信しなければｎｏｎ−ＣＳＧセルかＣＳＧセルか不明である。また、システム情報であるＳＩＢ１を受信しなければハイブリッドアクセスモードで運用されているか否かは不明である。よってシステム情報（ＳＩＢ１）を受信するまで（図１２のステップＳＴ１２０５）、ｎｏｎ−ＣＳＧセルなどをサーチ対象から外してセルサーチを行うこと、ハイブリッドモードで運用されているＨｅＮＢをセル選択することは不可能となる。このように本実施の形態を用いることにより、サーチ動作を高速に運用できるという効果を得ることが出来る。このことは移動体通信システムの制御遅延を防止するという効果を得ることが出来る。また、移動端末の消費電力の低減という効果を得ることが出来る。また、これにより、ハイブリッドアクセスモードで運用されるＨｅＮＢの導入によってＰＣＩスプリット方法に変更不要とすることができる。これにより移動体通信システムの複雑性を回避するという効果を得ることが出来る。
【００５０】
実施の形態２  変形例１．
上記の解決策において、従来の技術に対してホワイトリストを有する移動端末のセルサーチ動作の高速化を実現したが、ホワイトリストを有さない移動端末のセルサーチ動作の高速化は実現できていない。具体的には、ホワイトリストを持たない移動端末（ＣＳＧセルへ登録していない移動端末）がＰＣＩスプリット情報を受信後、セルサーチ動作にてＣＳＧセル用のＰＣＩ範囲に含まれるＰＣＩが割り当てられるハイブリッドアクセスモードで運用されるＨｅＮＢを対象セルから外してしまうという問題が発生する。ハイブリッドアクセスモードで運用されるＨｅＮＢは非ＣＳＧメンバーであってもアクセス許可されるモードであるにも関わらず、サーチ対象から外れてしまう。よってハイブリッドアクセスモードで運用されるＨｅＮＢのカバレッジ内に存在するホワイトリストを持たない移動端末が、当該ＨｅＮＢをセル選択しないという問題が発生する。これは、通信可能なロケーションにおいて、ＰＣＩ割当の不都合により通信不可能となることを意味する。逆に、上記にてハイブリッドアクセスモードで運用されるＨｅＮＢをサーチ対象から外さないとすれば、ホワイトリストを持たない移動端末がＰＣＩスプリット情報を受信後であっても全セルを対象にセルサーチ動作を行うことになり、システムの制御遅延、移動端末の消費電力の増大という課題が発生する。多数のＣＳＧセルからの電波が届く位置にいるホワイトリストを有さない移動端末の場合、多くのアクセス不可能なＣＳＧセル（つまりユーザアクセス登録していないＣＳＧセル）を延々とサーチやセル選択を繰り返す状況が生じる。このような場合、システムに制御遅延や無線リソースの使用効率及びシグナリング効率の低下を引き起こす。また、セルサーチを繰り返す移動端末の消費電力が大きくなるという問題が生じる。これらの問題は前述したような将来のＣＳＧセルの配置状況を想定すると重要な問題となる。
【００５１】
本変形例では上記課題を解決する方法を開示する。基地局から傘下の移動端末に対して周辺セルにてハイブリッドアクセスモードで運用されるＨｅＮＢが存在するか否か（以降、「周辺ハイブリッド状況」と称する）を通知する。基地局は、自セルの周辺、あるいはメジャメント対象セル中にハイブリッドアクセスモードで運用されるＨｅＮＢが存在するか否かを傘下の移動端末に対して通知する。具体的には、１ビットのインジケータを設けて、存在する場合は“１”、存在しない場合は“０”を設定する（もちろん逆でも良い）ようにしておいても良い。
【００５２】
周辺ハイブリッド状況の通知方法の具体例を以下に示す。ロジカルチャネルである報知制御チャネル（BCCH）にマッピングされ、さらにトランスポートチャネルである報知チャネル（BCH）、物理チャネルである物理報知チャネル（PBCH）にマッピングされて移動端末に通知される。マスタ情報にマッピングされ、マスタ情報ブロック(MIB)にマッピングされ、ロジカルチャネルである報知制御チャネル（BCCH）にマッピングされ、さらにトランスポートチャネルである報知チャネル（BCH）、物理チャネルである物理報知チャネル（PBCH）にマッピングされて移動端末に通知される。周辺ハイブリッド状況をＭＩＢにマッピングした場合、以下の効果を得ることが出来る。例えばＬＴＥ方式の通信システムにおいては、セルサーチから待ちうけの動作に必要最小限受信する報知情報として、ＭＩＢまたはＳＩＢ１がある。よって、セルサーチから待ちうけの動作に必要最小限受信する報知情報に周辺ハイブリッド状況を入れることによって、移動端末は他の報知情報ブロックを得る必要がなく短時間に低消費電力で周辺ハイブリッド状況を得ることが可能となる。
【００５３】
周辺ハイブリッド状況は、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされて移動端末に通知される。システム情報にマッピングされ、システム情報ブロック(SIB)にマッピングされ、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされて移動端末に通知される。周辺ハイブリッド状況をシステム情報のうちＳＩＢ１にマッピングした場合、以下の効果を得ることが出来る。例えばＬＴＥ方式の通信システムにおいては、セルサーチから待ちうけの動作に必要最小限受信する報知情報として、ＭＩＢまたはＳＩＢ１がある。よって、セルサーチから待ちうけの動作に必要最小限受信する報知情報に周辺ハイブリッド状況を入れることによって、移動端末は他の報知情報ブロックを得る必要がなく短時間に低消費電力で周辺ハイブリッド状況を得ることが可能となる。また、現在の３ＧＰＰ以下のことが議論されている。そのセルがＣＳＧセルであるということを示す、ＣＳＧインジケータはＳＩＢ１にマッピングされる方向である。ハイブリッドアクセスモードを区別するためのハイブリッドアクセスインジケータはＳＩＢ１にマッピングされる方向である。また、ＳＩＢ１にはセル再選択共通情報（cell Reselection InfoCommon）がマッピングされる方向である。このような状況下において、移動端末がハイブリッドアクセスモードで運用されるＨｅＮＢを探すべくセルサーチ動作を行うか、行わないかを決定する際に用いる情報である周辺ハイブリッド状況をＳＩＢ１にマッピングすることは、移動端末のセルサーチという処理にて用いるパラメータを、移動端末が同じシステム情報の受信にて得ることが可能となり、移動端末の動作の複雑性回避、制御遅延防止という効果を得ることが出来る。
【００５４】
周辺ハイブリッド状況をシステム情報のうちＳＩＢ４にマッピングした場合、以下の効果を得ることが出来る。現在の３ＧＰＰでは、ＳＩＢ４には同周波数間周辺セルリスト（intra Freq Neighbouring Cell List）がマッピングされる方向である。このような状況下において、移動端末が周辺セルの状況を得るという処理にて用いるパラメータを、移動端末が同じシステム情報の受信にて得ることが可能となり、移動端末の動作の複雑性回避、制御遅延防止という効果を得ることが出来る。また、ハイブリッドアクセスモードで運用されるＨｅＮＢは、同周波数間周辺セルリスト中に含まれるとしても良い。また、同周波数間周辺セルリストのセル毎にハイブリッドアクセスモードで運用されるＨｅＮＢであるか否かを示すインジケータを持っても良い。周辺ハイブリッド状況をシステム情報のうちＳＩＢ９にマッピングした場合、以下の効果を得ることが出来る。現在の３ＧＰＰでは、ＳＩＢ９にはＨｅＮＢの識別子（a home eNB identifier (HNBID)）がマッピングされる方向である。このような状況下において、移動端末がＨｅＮＢに関する情報を得るという処理にて用いるパラメータを、移動端末が同じシステム情報の受信にて得ることが可能となり、移動端末の動作の複雑性回避、制御遅延防止という効果を得ることが出来る。また、周辺ハイブリッド状況をシステム情報のうちＳＩＢ４やＳＩＢ９にマッピングした場合、比較的短い周期で繰返し送信されるＳＩＢ１にマッピングするよりも、送信される情報量、シグナリング量を低減できる。このため、システムとしてのシグナリング負荷を増大させることなく、移動端末が該システム情報を得ることが可能となるという効果が得られる。
【００５５】
あるいは周辺ハイブリッド状況は、共通の認識の物理リソースに関するパラメータは、ロジカルチャネルである共有制御チャネル（CCCH）、あるいは個別制御チャネル（DCCH）、あるいはマルチキャスト制御チャネル(MCCH)、あるいはマルチキャストトラフィックチャネル（MTCH）にマッピングされ、さらにトランスポートチャネルである下り共有チャネル（DL-SCH）、物理チャネルである物理下り共有チャネル（PDSCH）にマッピングされて移動端末に通知される。
【００５６】
次に図１６を用いて、本変形例における移動端末としての動作の一例を説明する。図１６は、図１５と類似する部分を有する。よって同じステップ番号の箇所の説明は省略する。ステップＳＴ６２０１にて移動端末は、周辺セル（あるいはあるいはメジャメント対象セル中）にハイブリッドアクセスモードで運用されるＨｅＮＢが存在するか否かを判断する。この判断には基地局から報知される情報にマッピングされる、本変形例で開示する「周辺ハイブリッド状況」を用いることができる。周辺セルにハイブリッドアクセスモードで運用されるＨｅＮＢが存在する場合、ステップＳＴ６１０９へ移行する。存在しない場合、ステップＳＴ６２０２へ移行する。ステップＳＴ６２０２にて移動端末は、本実施の形態で開示したＰＣＩスプリット情報にてｎｏｎ−ＣＳＧセル用のＰＣＩ範囲に属するＰＣＩにてセルサーチを行い、ステップＳＴ６２０３へ移行する。ステップＳＴ６２０３にて移動端末は、セル選択が行われたか否かを判断する。行われていた場合、処理を終了する。行われていない場合、ステップＳＴ６２０２へ戻る。ステップＳＴ６２０３で行われるセル選択の詳細動作例について図１４を用いて説明する。ステップＳＴ６２０３ではステップＳＴ６１０３と異なり、ＰＣＩスプリット情報を有し、ｎｏｎ−ＣＳＧセル用のＰＣＩ範囲に属するＰＣＩにてセルサーチを行い、ホワイトリストを有さず、かつ現在のセルサーチにてＣＳＧセルを優先していない移動端末のセル選択動作である。よって図１４ステップＳＴ１５０１の処理後、ステップＳＴ１８０１にてｎｏｎ−ＣＳＧセルと判断されステップＳＴ１５０３へ進む、ステップＳＴ１５０３でＮＯと判断され、ステップＳＴ１５０４へ進む。
【００５７】
本変形例により、実施の形態２の効果に加えて以下の効果を得ることが出来る。ホワイトリストを有さない移動端末のセルサーチの高速化を実現可能となる。ホワイトリストを有さない移動端末がハイブリッドアクセスモードで運用されるＨｅＮＢが存在しない環境にてＣＳＧセル用のＰＣＩ範囲に属するＰＣＩを用いてサーチする必要がなくなる。このことは、サーチ動作を高速に運用できるという効果を得ることが出来る。このことは移動体通信システムの制御遅延を防止するという効果を得ることが出来る。また、移動端末の消費電力の低減という効果を得ることが出来る。将来のＣＳＧセルの配置状況を想定すると重要な効果となる。
【００５８】
実施の形態３．
実施の形態２の変形例１にて、基地局から傘下の移動端末に対して周辺ハイブリッド状況を通知することを開示した。周辺ハイブリッド状況の通知の具体例として、周辺セルにハイブリッドアクセスモードで動作するＨｅＮＢが存在するか否かを通知することを開示した。また別の具体例として、自セルの周辺、あるいはメジャメント対象セル中にハイブリッドアクセスモードで動作するＨｅＮＢが存在するか否かを傘下の移動端末に対して通知することを開示した。
【００５９】
本実施の形態３では、周辺ハイブリッド状況の通知の更なる具体例を以下に７つ開示する。
【００６０】
（１）周辺（周辺セル、あるいはメジャメント対象セルの中。以降同様とする。）にハイブリッドアクセスモードで動作するＨｅＮＢが存在する旨を通知する。メジャメント対象セルとは、例えば、ネットワーク側から移動端末へ、移動端末がメジェメントすることを要求されるセルを意味する。
【００６１】
（２）周辺にハイブリッドアクセスモードで動作するＨｅＮＢが存在しない旨を通知する。
【００６２】
（３）周辺に存在する、ハイブリッドアクセスモードで動作するＨｅＮＢのＰＣＩを通知する。例えば周辺ハイブリッド状況を同周波数間周辺セルリスト（ＮＣＬ：Neighboring Cell List）、あるいは異周波数間周辺セルリスト、あるいは異システム間周辺セルリストを用いて通知する場合を考える。上記各周辺セルリストにより周辺ハイブリッド状況を通知することで、移動端末が周辺セルの情報をともに受信することが可能となり、移動端末の動作の複雑性回避、制御遅延防止、処理負荷軽減という効果を得ることができる。周辺に存在する、ハイブリッドアクセスモードで動作するＨｅＮＢのＰＣＩを周辺セルリストを用いて通知する方法の具体例を以下２つ開示する。
【００６３】
（３−１）現行の周辺セルリストにて周辺ハイブリッド状況を通知する。周辺セルのＰＣＩと共にハイブリッドアクセスモードで動作するセルであることを区別可能とする情報を付加しても良い。区別可能とする情報の具体例を以下４つ開示する。
【００６４】
（３−１−１）アクセスモードの別を示す。例えば、クローズドアクセスモード、オープンアクセスモード、ハイブリッドアクセスモードを示す。
【００６５】
（３−１−２）ハイブリッドアクセスモードであるか否かを示す。
【００６６】
（３−１−３）ハイブリッドアクセスモードである旨を示す。
【００６７】
（３−１−４）ハイブリッドアクセスモードでない旨を示す。
【００６８】
（３−２）現行の周辺セルリストと分離することで、ハイブリッドアクセスモードで動作するＨｅＮＢのＰＣＩを通知する。周辺セルのアクセスモードにより周辺セルリストを分離しても良い。移動端末は、アクセスモード毎に分離された周辺セルリストにより、該周辺セルリストに含まれるＰＣＩを伴う各セルは、各々のアクセスモードで動作していることが認識可能となる。また、ハイブリッドアクセスモードで動作するセル用の周辺セルリストを設けてもよい。移動端末は、該ハイブリッドアクセスモードで動作するセル用の周辺セルリストに含まれるＰＣＩを伴うセルは、ハイブリッドアクセスモードで動作していることが認識可能となる。
【００６９】
（４）ハイブリッドセル（ハイブリッドアクセスモードで動作するセル）に割当てられるＰＣＩの範囲を通知する。周辺にハイブリッドアクセスモードで動作するセルが存在する場合のみ通知するとしても良い。
【００７０】
３ＧＰＰでは、マクロセルに利用可能なＰＣＩｓ／ＰＣＳｓのセットからハイブリッドセルのためにＰＣＩｓ／ＰＳＣｓの部分集合を予約して、その情報を移動端末に報知することが提案されている（非特許文献１０）。つまり、ｎｏｎ−ＣＳＧ用のＰＣＩ中にハイブリッドセルが利用するＰＣＩ範囲（以降、ハイブリッドセル用のＰＣＩ範囲と称する）を予約することが提案されている。一方、ハイブリッドセル用のＰＣＩ範囲の移動端末への通知方法についての詳細は開示されていない。
【００７１】
周辺セルにハイブリッドアクセスモードで動作するセルが存在する場合のみ、ハイブリッドセルに割当てられるＰＣＩの範囲をサービングセルより通知することで以下の効果を得ることが出来る。ハイブリッドセルに割当てられるＰＣＩの範囲を通知することによって、実施の形態２の変形例１で示した周辺セルにハイブリッドアクセスモードで動作するＨｅＮＢが存在するか否か、あるいは本実施の形態における周辺ハイブリッド状況の更なる具体例（１）である「周辺にハイブリッドアクセスモードで動作するＨｅＮＢが存在する旨」、あるいは本実施の形態における周辺ハイブリッド状況の更なる具体例（２）である「周辺にハイブリッドアクセスモードで動作するＨｅＮＢが存在しない旨」を通知することなく、同様の情報を通知することが可能となる。これにより、無線リソースの有効活用、通知の情報が増加することによる移動体通信システムの複雑性の回避という効果を得ることができる。
【００７２】
（５）周辺に存在するハイブリッドセルに割当てられるＰＣＩの範囲を通知する。これにより、本実施の形態における周辺ハイブリッド状況の更なる具体例（４）と比較して、ハイブリッドアクセスモードで動作しているＨｅＮＢの検出のために移動端末がセルサーチのために用いるＰＣＩの数を削減することが可能となる。これにより、移動端末の処理負荷軽減という効果を得ることが出来る。
【００７３】
本実施の形態において、周辺ハイブリッド状況の通知方法は、実施の形態２の変形例１と同様であるので、説明を省略する。
【００７４】
（６）現在のキャリア周波数（サービング周波数とも称される）にハイブリッドアクセスモードで動作するＨｅＮＢが存在する旨、あるいはハイブリッドアクセスモードで動作するＨｅＮＢが存在しない旨、あるいはハイブリッドアクセスモードで動作するＨｅＮＢが存在するか否かを通知する。該情報は、周辺セルの状況によらないため、移動体通信システムの複雑性の回避という効果を得ることができる。
【００７５】
（７）現在の移動体通信システムにハイブリッドアクセスモードで動作するＨｅＮＢが存在する旨、あるいはハイブリッドアクセスモードで動作するＨｅＮＢが存在しない旨、あるいはハイブリッドアクセスモードで動作するＨｅＮＢが存在するか否かを通知する。該情報は、周辺セルの状況、キャリア周波数によらないため、移動体通信システムの複雑性の回避という効果を得ることができる。ハイブリッドアクセスモードで動作するＨｅＮＢが存在するか否かによりリリースを分断し、リリースバージョンの通知を現在の移動体通信システムにハイブリッドアクセスモードで動作するＨｅＮＢが存在する旨、あるいはハイブリッドアクセスモードで動作するＨｅＮＢが存在しない旨、あるいはハイブリッドアクセスモードで動作するＨｅＮＢが存在するか否かの情報を併せ持つとすればよい。これにより、無線リソースの有効活用、通知の情報が増加することによる移動体通信システムの複雑性の回避という効果を得ることができる。
【００７６】
本実施の形態における移動端末としての動作の一例を説明する。本実施の形態における周辺ハイブリッド状況の更なる具体例（１）、（２）を適用した場合の移動端末としての動作の一例は、実施の形態２の変形例１と同様（図１６）であるので説明を省略する。本実施の形態における周辺ハイブリッド状況の更なる具体例（３）を適用した場合の移動端末としての動作の一例を、図１７を用いて説明する。図１５、図１６と同じ参照符号は相当する部分であるので、説明は省略する。
【００７７】
ステップＳＴ１７０１にて移動端末は、周辺セル（あるいはメジャメント対象セル）の中にハイブリッドアクセスモードで動作するＨｅＮＢが存在するか否かを判断する。この判断には基地局から通知される「周辺ハイブリッド状況」である、周辺に存在するハイブリッドアクセスモードで動作するＨｅＮＢのＰＣＩを用いることができる。周辺に存在するハイブリッドアクセスモードで動作するＨｅＮＢのＰＣＩの通知があれば、周辺セルにハイブリッドアクセスモードで動作するＨｅＮＢが存在すると判断し、ステップＳＴ１７０２へ移行する。周辺に存在するハイブリッドアクセスモードで動作するＨｅＮＢのＰＣＩの通知がなければ、周辺セルにハイブリッドアクセスモードで動作するＨｅＮＢが存在しないと判断し、ステップＳＴ６２０２へ移行する。
【００７８】
ステップＳＴ１７０２にて移動端末は、基地局から通知される「周辺ハイブリッド状況」である、周辺に存在するハイブリッドアクセスモードで動作するＨｅＮＢのＰＣＩにてセルサーチを行う。ステップＳＴ１７０３にて移動端末は、ＰＣＩスプリット情報にてｎｏｎ−ＣＳＧセル用のＰＣＩ範囲に属するＰＣＩにてセルサーチを行う。
【００７９】
本実施の形態における周辺ハイブリッド状況の更なる具体例（４）を適用した場合の移動端末としての動作の一例、図１７を用いて説明する。図１５、図１６と同じ参照符号は相当する部分であるので、説明は省略する。
【００８０】
ステップＳＴ１７０１にて移動端末は、周辺セル（あるいはメジャメント対象セル）の中にハイブリッドアクセスモードで動作するＨｅＮＢが存在するか否かを判断する。この判断には基地局から通知される「周辺ハイブリッド状況」である、周辺セルにハイブリッドアクセスモードが存在する場合のみ通知される、ハイブリッドセルに割当てられるＰＣＩの範囲を用いることができる。ハイブリッドセルに割当てられるＰＣＩの範囲の通知があれば、周辺セルにハイブリッドアクセスモードで動作するＨｅＮＢが存在すると判断し、ステップＳＴ１７０２へ移行する。ハイブリッドセルに割当てられるＰＣＩの範囲の通知がなければ、周辺セルにハイブリッドアクセスモードで動作するＨｅＮＢが存在しないと判断し、ステップＳＴ６２０２へ移行する。
【００８１】
ステップＳＴ１７０２にて移動端末は、基地局から通知される「周辺ハイブリッド状況」である、ハイブリッドセルに割当てられるＰＣＩの範囲に含まれるＰＣＩにてセルサーチを行う。ステップＳＴ１７０３にて移動端末は、ＰＣＩスプリット情報にてｎｏｎ−ＣＳＧセル用のＰＣＩ範囲に属するＰＣＩにてセルサーチを行う。
【００８２】
本実施の形態における周辺ハイブリッド状況の更なる具体例（５）を適用した場合の移動端末としての動作の一例、図１７を用いて説明する。図１５、図１６と同じ参照符号は相当する部分であるので、説明は省略する。
【００８３】
ステップＳＴ１７０１にて移動端末は、周辺セル（あるいはメジャメント対象セル中）にハイブリッドアクセスモードで動作するＨｅＮＢが存在するか否かを判断する。この判断には基地局から通知される「周辺ハイブリッド状況」である、周辺に存在するハイブリッドセルに割当てられるＰＣＩの範囲を用いることができる。周辺に存在するハイブリッドセルに割当てられるＰＣＩの範囲の通知があれば、周辺セルにハイブリッドアクセスモードで動作するＨｅＮＢが存在すると判断し、ステップＳＴ１７０２へ移行する。周辺に存在するハイブリッドセルに割当てられるＰＣＩの範囲の通知がなければ、周辺セルにハイブリッドアクセスモードで動作するＨｅＮＢが存在しないと判断し、ステップＳＴ６２０２へ移行する。
【００８４】
ステップＳＴ１７０２にて移動端末は、基地局から通知される「周辺ハイブリッド状況」である、周辺に存在するハイブリッドセルに割当てられるＰＣＩの範囲に含まれるＰＣＩにてセルサーチを行う。ステップＳＴ１７０３にて移動端末は、ＰＣＩスプリット情報にてｎｏｎ−ＣＳＧセル用のＰＣＩ範囲に属するＰＣＩにてセルサーチを行う。
【００８５】
本実施の形態３により、実施の形態２の変形例１同様、実施の形態２の効果に加えて以下の効果を得ることが出来る。ホワイトリストを有さない移動端末のセルサーチの高速化を実現可能となる。ホワイトリストを有さない移動端末がハイブリッドアクセスモードで運用されるＨｅＮＢが存在しない環境にて、ＣＳＧセル用のＰＣＩ範囲に属するＰＣＩを用いてサーチする必要がなくなる。このことは、サーチ動作を高速に実行できるという効果を得ることが出来る。このことは移動体通信システムの制御遅延を防止するという効果を得ることが出来る。また、移動端末の消費電力の低減という効果を得ることが出来る。将来のＣＳＧセルの配置状況を想定すると重要な効果となる。
【００８６】
さらに、本実施の形態における周辺ハイブリッド状況の更なる具体例（３）（４）（５）を適用した場合の移動端末としての動作として、実施の形態２の変形例１、本実施の形態における周辺ハイブリッド状況の更なる具体例（１）、あるいは（２）を適用した場合と比較して以下の効果を得ることができる。ＣＳＧ未登録の移動端末が、オープンアクセスモード対応のセルである、マクロセルおよびハイブリッドセルを検出するためのセルサーチにおいて処理を簡素化することができる。ＣＳＧ未登録の移動端末が、オープンアクセスモード対応のセルを検出するために、ｎｏｎ−ＣＳＧセル用のＰＣＩ範囲に属するＰＣＩとハイブリッドセル用のＰＣＩ範囲に属するＰＣＩにてセルサーチを行うことが可能となる。あるいは、ＣＳＧ未登録の移動端末が、オープンアクセスモード対応のセルを検出するために、ｎｏｎ−ＣＳＧセル用のＰＣＩ範囲に属するＰＣＩと周辺に存在するハイブリッドセル用のＰＣＩにてセルサーチを行うことが可能となる。つまり、ＣＳＧ未登録の移動端末が、オープンアクセスモード対応のセルを検出するために、全ＰＣＩを用いてセルサーチを行うことなく、マクロセル、及びハイブリッドセルに用いることのないＣＳＧセル用のＰＣＩでのセルサーチ動作を削減することが可能となる。これにより、さらなるサーチ動作を高速に実行できるという効果を得ることが出来る。このことは、さらなる移動体通信システムの制御遅延を防止するという効果を得ることが出来る。また、さらなる移動端末の消費電力の低減という効果を得ることが出来る。
【００８７】
実施の形態４．
実施の形態４にて解決する課題について説明する。ＨｅＮＢ及びＨＮＢは、複数の動作モードが存在することが考えられる。本動作モードはＨｅＮＢ、ＨＮＢ設置後に変更される可能性がある。例えば、実施の形態２の変形例１、実施の形態３を適用した場合であっても、同様に、周辺のＨｅＮＢのアクセスモードが変更される可能性がある。例えばクローズドアクセスモードで動作している周辺のＨｅＮＢの動作モードがハイブリッドアクセスモードに変更された場合、該サービングセルが傘下の移動端末へ通知する「周辺ハイブリッド状況」を変更する必要が発生する。
【００８８】
本実施の形態４では、「周辺ハイブリッド状況」の変更方法について開示する。ネットワーク経由で動作モードを設定する場合における「周辺ハイブリッド状況」の変更方法について開示する。
【００８９】
例えば、オペレータがネットワーク経由で、ＨｅＮＢ／ＨＮＢの動作モードを設定する。オペレータは、ネットワーク経由でＨｅＮＢ／ＨＮＢの動作モード設定の変更を指示する。ネットワーク側は、該ＨｅＮＢ／ＨＮＢへ動作モードの設定の変更を通知する。ネットワーク側の具体例としては、ＥＰＣ（Evolved Packet Core）、ＭＭＥ、Ｓ−ＧＷ、ＨｅＮＢＧＷなどがある。また、他の具体例として、Ｏ＆Ｍ（Operating & Management）用のシステム、ノード、エンティティ、ファンクション、エレメントなどであっても良い。該変更の通知には、Ｓ１インタフェース、あるいはブロードバンド回線を用いても良い。また、Ｏ＆Ｍ用のインタフェースであっても良い。該動作モードの設定の変更の通知には、変更後の動作モード、あるいは変更前と変更後の動作モードなどが含まれても良い。
【００９０】
ネットワーク側は、該ＨｅＮＢ／ＨＮＢの動作モード設定の変更により「周辺ハイブリッド状況」を変更する必要があるセルに対して、変更した「周辺ハイブリッド状況」を通知する。該「周辺ハイブリッド状況」の通知には、Ｓ１インタフェース、あるいはブロードバンド回線を用いても良い。
【００９１】
あるいは、ネットワーク側は、該ＨｅＮＢ／ＨＮＢの動作モード設定の変更により「周辺ハイブリッド状況」を変更する必要があるセルに対して、変更依頼を通知しても良い。「周辺ハイブリッド状況」の変更依頼を受信したセルは、「周辺ハイブリッド状況」の変更を実行する。該変更依頼の通知には、Ｓ１インタフェース、あるいはブロードバンド回線を用いても良い。「周辺ハイブリッド状況」の変更依頼には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。
【００９２】
該ＨｅＮＢ／ＨＮＢの動作モード設定の変更により「周辺ハイブリッド状況」を変更する必要があるセルとしては、動作モード設定が変更されたＨｅＮＢ／ＨＮＢをハンドオーバ先、あるいはセル再選択先として選択する可能性のあるセルとする。また、「周辺ハイブリッド状況」を、ＮＣＬを用いて傘下の移動端末に通知している場合、該ＨｅＮＢ／ＨＮＢの動作モード設定の変更により「ＮＣＬ」を変更する必要があるセルを選択しても良い。
【００９３】
該ＨｅＮＢ／ＨＮＢの動作モード設定の変更により「周辺ハイブリッド状況」を変更する必要があるセルの選択方法の具体例について以下７つ開示する。
【００９４】
（１）動作モード設定が変更されたＨｅＮＢ／ＨＮＢ以外のＨｅＮＢ／ＨＮＢ傘下の移動端末のメジャメントレポートを用いる。さらに具体例として以下２つ開示する。
【００９５】
（１−１）動作モード設定が変更されたＨｅＮＢ／ＨＮＢ以外のＨｅＮＢ／ＨＮＢ傘下の移動端末のメジャメントレポートにて、動作モード設定が変更されたＨｅＮＢ／ＨＮＢをハンドオーバ先（ターゲットセル）として選択した場合、該移動端末のサービングセルを該ＨｅＮＢ／ＨＮＢの動作モード設定の変更により「周辺ハイブリッド状況」を変更する必要があるとする。
【００９６】
（１−２）動作モード設定が変更されたＨｅＮＢ／ＨＮＢ以外のＨｅＮＢ／ＨＮＢ傘下の移動端末が、サービングセルより動作モード設定が変更されたＨｅＮＢ／ＨＮＢの受信品質が良好であると報告した場合、該移動端末のサービングセルを該ＨｅＮＢ／ＨＮＢの動作モード設定の変更により「周辺ハイブリッド状況」を変更する必要があるとする。本具体例により、動作モード設定が変更されたＨｅＮＢ／ＨＮＢ以外のＨｅＮＢ／ＨＮＢ傘下の移動端末のメジャメントレポートを用いるため、動作モード設定が変更されたＨｅＮＢ／ＨＮＢをハンドオーバ先、あるいはセル再選択先として選択する可能性のあるセルを的確に選択することが可能となる。つまり、「周辺ハイブリッド状況」を変更する必要があるセルとして、無駄なセルを選択しないという効果を得ることができる。
【００９７】
（２）動作モード設定が変更されたＨｅＮＢ／ＨＮＢ傘下の移動端末のメジャメントレポートを用いる。さらに具体例として以下３つ開示する。
【００９８】
（２−１）動作モード設定が変更されたＨｅＮＢ／ＨＮＢが傘下の移動端末のメジャメントレポートを用いてハンドオーバ先（ターゲットセル）として選択したセルを、該ＨｅＮＢ／ＨＮＢの動作モード設定の変更により「周辺ハイブリッド状況」を変更する必要があるとする。
【００９９】
（２−２）傘下の移動端末がサービングセル、つまり動作モード設定が変更されたＨｅＮＢ／ＨＮＢより受信品質が良好であると報告したセルを該ＨｅＮＢ／ＨＮＢの動作モード設定の変更により「周辺ハイブリッド状況」を変更する必要があるとする。
【０１００】
（２−３）傘下の移動端末が、受信品質がある閾値より良好であると報告したセルを該ＨｅＮＢ／ＨＮＢの動作モード設定の変更により「周辺ハイブリッド状況」を変更する必要があるとする。ある閾値は、静的に決められていても、準静的に決められていても良い。
【０１０１】
本具体例（２）により、具体例（１）と比較して、動作モード設定が変更されたＨｅＮＢ／ＨＮＢ以外のＨｅＮＢ／ＨＮＢ傘下の移動端末のメジャメントレポートを用いる必要が無く、動作モード設定が変更されたＨｅＮＢ／ＨＮＢ傘下の移動端末のメジャメントレポートを用いればよく、「周辺ハイブリッド状況」を変更する必要があるセルの選択方法についての処理負荷が軽減される、という効果を得ることができる。
【０１０２】
（３）セルの位置情報を用いる。ネットワーク側は、各セルの位置情報から動作モード設定が変更されたＨｅＮＢ／ＨＮＢから、ある距離以内に設置されているセルを該ＨｅＮＢ／ＨＮＢの動作モード設定の変更により「周辺ハイブリッド状況」を変更する必要があるセルとする。ある距離は、静的に決められていても、準静的に決められていても良い。本具体例により、具体例（１）（２）と比較してメジャメントレポートを記憶、処理する必要がないため、「周辺ハイブリッド状況」を変更する必要があるセルの選択方法についての処理負荷が軽減されるという効果を得ることができる。
【０１０３】
（４）動作モード設定が変更されたＨｅＮＢ／ＨＮＢ以外のＨｅＮＢ／ＨＮＢの周辺セル情報中に、あるいは周辺セルリスト中に、動作モード設定が変更されたＨｅＮＢ／ＨＮＢの情報が含まれていた場合、該動作モード設定が変更されたＨｅＮＢ／ＨＮＢ以外のＨｅＮＢ／ＨＮＢを該ＨｅＮＢ／ＨＮＢの動作モード設定の変更により「周辺ハイブリッド状況」を変更する必要があるとする。本具体例により、具体例（１）（２）（３）と比較してメジャメントレポートを記憶、処理する、あるいは閾値などとの比較が必要ないため、「周辺ハイブリッド状況」を変更する必要があるセルの選択方法についての処理負荷が軽減されるという効果を得ることができる。
【０１０４】
（５）動作モード設定が変更されたＨｅＮＢ／ＨＮＢの周辺セル情報、あるいは周辺セルリストに含まれるセルを該ＨｅＮＢ／ＨＮＢの動作モード設定の変更により「周辺ハイブリッド状況」を変更する必要があるとする。本具体例により、具体例（１）（２）（３）と比較してメジャメントレポートを記憶、処理する、あるいは閾値などとの比較が必要ないため、「周辺ハイブリッド状況」を変更する必要があるセルの選択方法についての処理負荷が軽減されるという効果を得ることができる。また、具体例（４）と比較して動作モード設定が変更されたＨｅＮＢ／ＨＮＢ以外の周辺セル情報を考慮する必要が無い点において、「周辺ハイブリッド状況」を変更する必要があるセルの選択方法についての処理負荷が軽減されるという効果を得ることができる。
【０１０５】
（６）動作モード設定が変更されたＨｅＮＢ／ＨＮＢが接続される１つあるいは複数のＭＭＥに接続される他のセルを該ＨｅＮＢ／ＨＮＢの動作モード設定の変更により「周辺ハイブリッド状況」を変更する必要があるセルとする。現在３ＧＰＰにおいて議論されているＬＴＥ方式の移動体通信システムの全体的な構成を、図１８を用いて説明する。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB(NB)、GERANのBSS）とを含めたシステムの全体的な構成が検討されており、ｅ−ＵＴＲＡＮについては、図１８のような構成が提案されている（非特許文献１  ４．６．１.章）。図１８について説明する。
【０１０６】
移動端末（ＵＥ）１８０１は基地局１８０２と送受信を行う。基地局１８０２はｅＮＢ１８０２−１と、Ｈｏｍｅ−ｅＮＢ１８０２−２とに分類される。ｅＮＢ１８０２−１はＭＭＥ１８０３とインタフェースＳ１により接続され、ｅＮＢとＭＭＥとの間で制御情報が通信される。ひとつのｅＮＢ１８０２−１に対して複数のＭＭＥ１８０３が接続されてもよい。ｅＮＢ間はインタフェースＸ２により接続され、ｅＮＢ間で制御情報が通信される。Ｈｏｍｅ−ｅＮＢ１８０２−２はＭＭＥ１８０３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。あるいは、Ｈｏｍｅ−ｅＮＢ１８０２−２はＨｅＮＢＧＷ（Home-eNB GateWay）１８０４を介してＭＭＥ１８０３と接続される。Ｈｏｍｅ−ｅＮＢとＨｅＧＷはインタフェースＳ１により接続され、ＨｅＮＢＧＷ１８０４とＭＭＥ１８０３はインタフェースＳ１を介して接続される。ひとつまたは複数のＨｏｍｅ−ｅＮＢ１８０２−２がひとつのＨｅＮＢＧＷ１８０４と接続され、Ｓ１を通して情報が通信される。ＨｅＮＢＧＷ１８０４はひとつまたは複数のＭＭＥ１８０３と接続され、Ｓ１を通して情報が通信される。さらに現在３ＧＰＰでは以下のような構成が検討されている。Ｈｏｍｅ−ｅＮＢ１８０２−２間のインタフェースＸ２はサポートされない。ＭＭＥ１８０３からは、ＨｅＮＢＧＷ１８０４はｅＮＢ１８０２−１として見える。Ｈｏｍｅ−ｅＮＢ１８０２−２からは、ＨｅＮＢＧＷ１８０４はＭＭＥ１８０３として見える。Ｈｏｍｅ−ｅＮＢ１８０２−２がＨｅＮＢＧＷ１８０４を介してＥＰＣに接続されるか否かに関係なく、Ｈｏｍｅ−ｅＮＢ１８０２−２とＥＰＣ間のインタフェースＳ１は同じである。ＭＭＥ１８０３をまたがるような、Ｈｏｍｅ−ｅＮＢ１８０２−２へのモビリティ、あるいはＨｏｍｅ−ｅＮＢ１８０２−２からのモビリティはサポートされない。Ｈｏｍｅ−ｅＮＢ１８０２−２は唯一のセルをサポートする。
【０１０７】
本具体例により、具体例（１）（２）（３）（４）（５）と比較して、動作モード設定が変更されたＨｅＮＢ／ＨＮＢによらずに、ネットワーク側は一意に「周辺ハイブリッド状況」を変更する必要があるセルを選択可能となるので、「周辺ハイブリッド状況」を変更する必要があるセルの選択方法についての処理負荷が軽減されるという効果を得ることができる。
【０１０８】
（７）動作モード設定が変更されたＨｅＮＢ／ＨＮＢが接続されるＨｅＮＢＧＷに接続される他のセルを、該ＨｅＮＢ／ＨＮＢの動作モード設定の変更により「周辺ハイブリッド状況」を変更する必要があるセルとする。本具体例により、具体例（１）（２）（３）（４）（５）と比較して、動作モード設定が変更されたＨｅＮＢ／ＨＮＢによらずに、ネットワーク側は一意に「周辺ハイブリッド状況」を変更する必要があるセルを選択可能となるので、「周辺ハイブリッド状況」を変更する必要があるセルの選択方法についての処理負荷が軽減されるという効果を得ることができる。
【０１０９】
次に移動体通信システムの動作を説明する。図１９に説明に用いるセルの配置例について示す。マクロセル１９０１のカバレッジ１９０２内にＨｅＮＢ／ＨＮＢ１９０９が設置されている。ＨｅＮＢ／ＨＮＢ１９０９のカバレッジは１９１０である。マクロセル１９０１に隣接してマクロセル１９０３が設置されている。マクロセル１９０３のカバレッジは１９０４である。マクロセル１９０１、及びマクロセル１９０３のセル境界付近に、ＨｅＮＢ／ＨＮＢ１９０５、ＨｅＮＢ／ＨＮＢ１９０７が設置されている。ＨｅＮＢ／ＨＮＢ１９０５のカバレッジは１９０６である。ＨｅＮＢ／ＨＮＢ１９０７のカバレッジは１９０８である。
【０１１０】
図２０を用いて、移動体通信システムの動作の一例を示す。ステップＳＴ２００１にてネットワークは、例えばオペレータからＨｅＮＢの動作モード設定変更の指示を受ける。動作モード変更に伴いＰＣＩを変更する必要があれば、ネットワーク側は、新たな動作モードに適したＰＣＩを選択しても良い。新たな動作モードに適したＰＣＩとは、新たな動作モード用のＰＣＩ範囲に含まれるＰＣＩであっても良い。ステップＳＴ２００２にてネットワークは、オペレータから動作モード設定変更の指示を受けたＨｅＮＢに対して、動作モードの設定の変更を通知する。ネットワーク側は、動作モード設定変更の指示を受けたＨｅＮＢに対して、新たな動作モードに適したＰＣＩを通知しても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。ステップＳＴ２００３にて動作モード設定変更の指示を受けたＨｅＮＢは、指示に従い、動作モード設定の変更を実行する。ステップ４００１にて新たな動作モードに適したＰＣＩの通知を受信した場合、指示に従い、ＰＣＩの変更を実行する。あるいは、動作モード設定の変更の指示を受けたＨｅＮＢが、新たな動作モードに適したＰＣＩを選択しても良い。新たな動作モードに適したＰＣＩとは、新たな動作モード用のＰＣＩ範囲に含まれるＰＣＩであっても良い。選択の際、該ＨｅＮＢは、周辺のセルの受信品質を測定してもよい。具体的なＰＣＩ選択方法の一例を開示する。周辺のセルの受信品質にて良好な受信品質のセル（受信品質をＳＩＲで表した場合、ＳＩＲが高いセル）からは、干渉を受けやすいとして、該セルと同じ、あるいは類似のＰＣＩを選択しないようにする。類似のＰＣＩとは、相関が高いＰＣＩを意味する。良好な受信品質のセルは、１つであっても複数であっても良い。良好な受信品質のセルを決定する際、閾値を用いてもよい。例えば、受信品質が閾値より良好（受信品質をＳＩＲで表した場合、閾値より受信品質が高い）であれば、該セルを良好な受信品質のセルと判断しても良い。新たな動作モードに適したＰＣＩの選択は、ステップＳＴ４００２の動作モード設定変更の指示の後であっても良い。該ＨｅＮＢは、ＰＣＩの変更を実行する。新たな動作モードに適したＰＣＩをＨｅＮＢが選択した場合、該ＨｅＮＢはネットワーク側へ、該ＰＣＩを通知しても良い。該通知には、Ｓ１インタフェース、あるいはブロードバンド回線を用いても良い。また、Ｏ＆Ｍ用のインタフェースであっても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。
【０１１１】
ステップＳＴ２００４にてネットワークは、「周辺ハイブリッド状況」を変更する必要があるセルを選択する。あるいは、ＮＣＬを変更する必要があるセルを選択しても良い。例えば図１９を用いて説明する。ＨｅＮＢ／ＨＮＢ１９０５の動作モード設定をクローズドアクセスモードからハイブリッドアクセスモードに変更する場合を検討する。その場合、ステップＳＴ２００４にて例えば、マクロセル１９０１、マクロセル１９０３、ＨｅＮＢ／ＨＮＢ１９０７が「周辺ハイブリッド状況」を変更する必要があるセルとして選択される。例えば図１９を用いて説明する。ＨｅＮＢ／ＨＮＢ１９０９の動作モード設定をクローズドアクセスモードからハイブリッドアクセスモードに変更する場合を検討する。その場合、ステップＳＴ２００４にて例えば、マクロセル１９０１が「周辺ハイブリッド状況」を変更する必要があるセルとして選択される。
【０１１２】
ステップＳＴ２００５にてネットワークは、ステップＳＴ２００４にて選択したセルの「周辺ハイブリッド状況」を変更する。あるいは、ＮＣＬを変更するとしても良い。ステップＳＴ２００６にてネットワークは、ステップＳＴ２００４にて選択したセルに対して、ステップＳＴ２００５にて変更した「周辺ハイブリッド状況」を通知する。あるいは、ＮＣＬを通知するとしても良い。ステップＳＴ２００７にて、「周辺ハイブリッド状況」を受信したセルは、受信した「周辺ハイブリッド状況」を傘下の移動端末へ通知する。
【０１１３】
実施の形態４により以下の効果を得ることが出来る。ＨｅＮＢ、ＨＮＢ設置後に動作モード設定が変更される場合であっても、適切に「周辺ハイブリッド状況」あるいは「ＮＣＬ」を変更可能となる効果を得ることができる。また、本実施の形態によりオペレータあるいはＨｅＮＢ／ＨＮＢのオーナが「周辺ハイブリッド状況」の変更作業が必要ない。こうすることで、オペレータあるいはＨｅＮＢ／ＨＮＢのオーナの作業負荷やコスト発生を抑えつつ、動作モード設定変更に伴う、「周辺ハイブリッド状況」を更新することが可能となる。これにより、ＨｅＮＢ、ＨＮＢ設置後に動作モード設定が変更される場合であっても、実施の形態２の変形例１、実施の形態３を適用することが可能となり、実施の形態２の変形例１、実施の形態３の効果を得ることが出来る。
【０１１４】
実施の形態４  変形例１．
実施の形態４の変形例１にて解決する課題は、実施の形態４と同様であるので、説明を省略する。
【０１１５】
本実施の形態４の変形例１では、ＨｅＮＢ／ＨＮＢ経由で動作モードを設定する場合における「周辺ハイブリッド状況」の変更方法について開示する。例えば、ＨｅＮＢ／ＨＮＢのオーナは、直接ＨｅＮＢ／ＨＮＢの動作モード設定の変更を指示する。ＨｅＮＢ／ＨＮＢは、動作モード設定の変更により「周辺ハイブリッド状況」を変更する必要があるセルに対して、変更依頼を通知する。「周辺ハイブリッド状況」の変更依頼を受信したセルは、「周辺ハイブリッド状況」の変更を実行する。該変更の通知には、Ｘ２インタフェース、あるいはブロードバンド回線を用いても良い。「周辺ハイブリッド状況」の変更依頼には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。
【０１１６】
該ＨｅＮＢ／ＨＮＢの動作モード設定の変更により「周辺ハイブリッド状況」を変更する必要があるセルとしては、動作モード設定が変更されたＨｅＮＢ／ＨＮＢをハンドオーバ先、あるいはセル再選択先として選択する可能性のあるセルとする。また、「周辺ハイブリッド状況」を、ＮＣＬを用いて傘下の移動端末に通知している場合、該ＨｅＮＢ／ＨＮＢの動作モード設定の変更により「ＮＣＬ」を変更する必要があるセルを選択しても良い。
【０１１７】
該ＨｅＮＢ／ＨＮＢの動作モード設定の変更により「周辺ハイブリッド状況」を変更する必要があるセルの選択方法の具体例について以下３つ開示する。
【０１１８】
（１）動作モード設定が変更されたＨｅＮＢ／ＨＮＢが行った、周辺セルの測定結果を用いる。受信品質がある閾値より良好であるセルを、該ＨｅＮＢ／ＨＮＢの動作モード設定の変更により「周辺ハイブリッド状況」を変更する必要があるとしても良い。ある閾値は、静的に決められていても、準静的に決められていても良い。
【０１１９】
（２）動作モード設定が変更されたＨｅＮＢ／ＨＮＢ傘下の移動端末のメジャメントレポートを用いる。さらに具体例として以下３つ開示する。
【０１２０】
（２−１）動作モード設定が変更されたＨｅＮＢ／ＨＮＢが傘下の移動端末のメジャメントレポートを用いてハンドオーバ先（ターゲットセル）として選択したセルを、該ＨｅＮＢ／ＨＮＢの動作モード設定の変更により「周辺ハイブリッド状況」を変更する必要があるとする。
【０１２１】
（２−２）傘下の移動端末がサービングセル、つまり動作モード設定が変更されたＨｅＮＢ／ＨＮＢより受信品質が良好であると報告したセルを、該ＨｅＮＢ／ＨＮＢの動作モード設定の変更により「周辺ハイブリッド状況」を変更する必要があるとする。
【０１２２】
（２−３）傘下の移動端末が、受信品質がある閾値より良好であると報告したセルを、該ＨｅＮＢ／ＨＮＢの動作モード設定の変更により「周辺ハイブリッド状況」を変更する必要があるとする。ある閾値は、静的に決められていても、準静的に決められていても良い。
【０１２３】
本具体例により、具体例（１）と比較して、セルに周辺セルの測定という新たな機能を追加する必要がなくなる。これにより、移動体通信システムの複雑性回避という効果を得ることができる。
【０１２４】
（３）動作モード設定が変更されたＨｅＮＢ／ＨＮＢの周辺セル情報、あるいは周辺セルリストに含まれるセルを、該ＨｅＮＢ／ＨＮＢの動作モード設定の変更により「周辺ハイブリッド状況」を変更する必要があるとする。本具体例により、具体例（１）（２）と比較してメジャメントレポートを記憶、処理する、あるいは閾値などとの比較が必要ないため、「周辺ハイブリッド状況」を変更する必要があるセルの選択方法についての処理負荷が軽減されるという効果を得ることができる。
【０１２５】
次に移動体通信システムの動作を説明する。図１９に説明に用いるセルの配置例について示す。図２１に移動体通信システムの動作の一例を示す。図１９のセル設置例については、実施の形態４と同様であるので説明を省略する。図２１を用いて、移動体通信システムの動作の一例を示す。図２０と同じ参照符号は相当する部分であるので、説明は省略する。ステップＳＴ２１０１にてＨｅＮＢは、オーナから動作モード設定変更の指示を受ける。
【０１２６】
ステップＳＴ２１０２にてＨｅＮＢは、「周辺ハイブリッド状況」を変更する必要があるセルを選択する。あるいは、ＮＣＬを変更する必要があるセルを選択しても良い。例えば図１９において、ＨｅＮＢ／ＨＮＢ１９０５の動作モード設定をクローズドアクセスモードからハイブリッドアクセスモードに変更する場合を検討する。その場合、ステップＳＴ２１０２にて例えば、マクロセル１９０１、マクロセル１９０３、ＨｅＮＢ／ＨＮＢ１９０７が「周辺ハイブリッド状況」を変更する必要があるセルとして選択される。また、例えば図１９において、ＨｅＮＢ／ＨＮＢ１９０９の動作モード設定をクローズドアクセスモードからハイブリッドアクセスモードに変更する場合を検討する。その場合、ステップＳＴ２１０２にて例えば、マクロセル１９０１が「周辺ハイブリッド状況」を変更する必要があるセルとして選択される。
【０１２７】
ステップＳＴ２１０３にてＨｅＮＢは、ステップＳＴ２１０２にて選択したセルに対して、「周辺ハイブリッド状況」の変更依頼を通知する。あるいは、ＮＣＬの変更依頼を通知するとしても良い。ＨｅＮＢは、ステップＳＴ４１０２にて選択したセルに対して、新たな動作モードに適したＰＣＩを通知しても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。ステップＳＴ２１０４にて、「周辺ハイブリッド状況」の変更依頼を受信したセルは、周辺ハイブリッド状況を変更する。あるいは、ＮＣＬを変更するとしても良い。ステップＳＴ２１０５にて、「周辺ハイブリッド状況」を受信したセルは、ステップＳＴ２１０４にて変更した「周辺ハイブリッド状況」を傘下の移動端末へ通知する。
【０１２８】
実施の形態４の変形例１は、実施の形態４と組み合わせて用いることができる。
【０１２９】
実施の形態４の変形例１により実施の形態４に加えて以下の効果を得ることが出来る。ＨｅＮＢ、ＨＮＢ経由で行われていたＨｅＮＢ、ＨＮＢの動作モード設定変更に対しても、ＨｅＮＢ、ＨＮＢ設置後に動作モード設定が変更される場合であっても、適切に「周辺ハイブリッド状況」あるいは「ＮＣＬ」を変更可能となる効果を得ることができる。また、ＨｅＮＢ、ＨＮＢ経由で行われた、ＨｅＮＢ、ＨＮＢの動作モード設定変更に対しても、本実施の形態によりオペレータあるいはＨｅＮＢ／ＨＮＢのオーナが「周辺ハイブリッド状況」の変更作業が必要ない。こうすることで、オペレータあるいはＨｅＮＢ／ＨＮＢのオーナの作業負荷やコスト発生を抑えつつ、動作モード設定変更に伴う、「周辺ハイブリッド状況」を更新することが可能となる。これにより、ＨｅＮＢ、ＨＮＢ経由で行われた、ＨｅＮＢ、ＨＮＢの動作モード設定変更に対しても、ＨｅＮＢ、ＨＮＢ設置後に動作モード設定が変更される場合であっても、実施の形態２の変形例１、実施の形態３を適用することが可能となり、実施の形態２の変形例１、実施の形態３の効果を得ることが出来る。
【０１３０】
実施の形態４  変形例２．
実施の形態４の変形例２にて解決する課題は、実施の形態４、実施の形態４の変形例１と同様であるので、説明を省略する。
【０１３１】
本実施の形態４の変形例２では、ＨｅＮＢ／ＨＮＢ経由で行われる動作モードを設定する場合における「周辺ハイブリッド状況」の変更方法について、実施の形態４の変形例１とは別の解決策を開示する。例えば、ＨｅＮＢ／ＨＮＢのオーナは、直接ＨｅＮＢ／ＨＮＢの動作モード設定の変更を指示する。ＨｅＮＢ／ＨＮＢは、動作モード設定変更の指示を受けたＨｅＮＢは、指示に従い、動作モード設定の変更を実行する。
【０１３２】
ＨｅＮＢ／ＨＮＢは、ネットワーク側へ動作モード設定変更の報告を通知する。該報告の通知にはＳ１インタフェース、あるいはブロードバンド回線を用いても良い。該報告には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。ネットワーク側の具体例としては、ＥＰＣ（Evolved Packet Core）、ＭＭＥ、Ｓ−ＧＷ、ＨｅＮＢＧＷなどがある。
【０１３３】
該報告を受信したネットワーク側は、該ＨｅＮＢ／ＨＮＢの動作モード設定の変更により「周辺ハイブリッド状況」を変更する必要があるセルに対して、変更した「周辺ハイブリッド状況」を通知する。該変更の通知には、Ｓ１インタフェース、あるいはブロードバンド回線を用いても良い。
【０１３４】
あるいは、該報告を受信したネットワーク側は、該ＨｅＮＢ／ＨＮＢの動作モード設定の変更により「周辺ハイブリッド状況」を変更する必要があるセルに対して、変更依頼を通知しても良い。「周辺ハイブリッド状況」の変更依頼を受信したセルは、「周辺ハイブリッド状況」の変更を実行する。該変更の通知には、Ｓ１インタフェース、あるいはブロードバンド回線を用いても良い。「周辺ハイブリッド状況」の変更依頼には、動作モード設定が変更されたＨｅＮＢ／ＨＮＢの識別情報（ＰＣＩ、ＧＣＩなど）、変更後の動作モード、あるいは変更前と変更後の動作モードなどが含まれても良い。
【０１３５】
該ＨｅＮＢ／ＨＮＢの動作モード設定の変更により「周辺ハイブリッド状況」を変更する必要があるセルとしては、動作モード設定が変更されたＨｅＮＢ／ＨＮＢをハンドオーバ先、あるいはセル再選択先として選択する可能性のあるセルとする。また、「周辺ハイブリッド状況」を、ＮＣＬを用いて傘下の移動端末に通知している場合、該ＨｅＮＢ／ＨＮＢの動作モード設定の変更により「ＮＣＬ」を変更する必要があるセルを選択しても良い。
【０１３６】
該ＨｅＮＢ／ＨＮＢの動作モード設定の変更により「周辺ハイブリッド状況」を変更する必要があるセルの選択方法の具体例は実施の形態４と同様であるので説明を省略する。
【０１３７】
次に移動体通信システムの動作を説明する。図１９に説明に用いるセルの配置例について示す。図２２に移動体通信システムの動作の一例を示す。図２０、図２１と同じ参照符号は相当する部分であるので、説明は省略する。ステップＳＴ２２０１にてＨｅＮＢは、ネットワーク側へ動作モード設定変更の報告を通知する。ＨｅＮＢは、ネットワーク側へ新たな動作モードに適したＰＣＩを通知しても良い。通知されるＰＣＩは、変更前のＰＣＩと変更後のＰＣＩ、変更後のＰＣＩであっても良いし、あるいは変更前のＧＣＩと変更後のＧＣＩ、変更後のＧＣＩであっても良い。
【０１３８】
実施の形態４の変形例２により実施の形態４の変形例１と同様の効果を得ることが出来る。
【０１３９】
実施の形態４、実施の形態４の変形例１、実施の形態４の変形例２では、ＨｅＮＢ／ＨＮＢの動作モードが変更された場合の「周辺ハイブリッド状況」を変更する方法を開示した。ＨｅＮＢ／ＨＮＢの動作モードが変更された場合のみではなく、新たにＨｅＮＢ／ＨＮＢが設定された場合においても、新たに設置された場所の周辺のセルの「周辺ハイブリッド状況」を変更する必要が発生する。該状況においても実施の形態４、実施の形態４の変形例１、実施の形態４の変形例２を適用可能である。
【０１４０】
ＬＴＥシステムでは、セルフコンフィグレーションあるいはセルフオプティマイゼーション機能をサポートすることが検討されており、またその中で、ＡＮＲ（Automatic Neighbour Relation）機能が検討されている（非特許文献１）。ＡＮＲ機能は、隣接セルとの関係（Neighbour Relations (NRs)）の取扱いをオペレータが手動で行うのではなく、自動で行うようにする機能である。自動に行わせることで、オペレータの作業負荷やコストの増大を軽減することが可能となる。
【０１４１】
実施の形態４、実施の形態４の変形例１、実施の形態４の変形例２で開示した方法を、該ＡＮＲ機能の一部として組み込むようにしても良い。該ＡＮＲ機能に「周辺ハイブリッド状況」を変更する方法を組み込むと良い。該ＡＮＲ機能は、ｅＮＢあるいはＨｅＮＢ／ＨＮＢに設けられても良いし、ネットワーク側に設けられても良い。
【０１４２】
こうすることで、オペレータあるいはＨｅＮＢ／ＨＮＢのオーナの作業負荷やコスト増大無しに、本実施の形態で開示した方法を行うことが可能となり、さらなる移動体通信システムの高性能化、さらなる移動端末の低消費電力化という効果を得ることが出来る。さらに、将来のＨｅＮＢ／ＨＮＢの設置数が増大した場合にも、該ＨｅＮＢ／ＨＮＢの柔軟な設置や動作モードの変更に対応した移動体通信システムを構築することが可能となる。
【０１４３】
本発明において、実施の形態１から実施の形態４で個別に記載したが、これらは組合せて用いても良い。
【０１４４】
本発明についてはＬＴＥシステム（Ｅ−ＵＴＲＡＮ）を中心に記載したが、Ｗ−ＣＤＭＡシステム（ＵＴＲＡＮ、ＵＭＴＳ）及びＬＴＥ−Ａｄｖａｎｃｅｄについて適用可能である。更には、ＣＳＧ（Closed Subscriber Group）が導入される移動体通信システムおよび、ＣＳＧと同じようにオペレータが加入者を特定し、特定された加入者がアクセスを許可されるような通信システムにおいて適用可能である。
【０１４５】
本発明についてはＨｅＮＢ／ＨＮＢがハイブリッドアクセスモードをサポートした場合を中心に記載した。移動体通信システムの他のエンティティが、ハイブリッドアクセスモードをサポートする場合にも本発明は適用可能である。具体例としては、カバレッジが大きいセル、例えばマクロセル、あるいはカバレッジが小さいセル、例えばマイクロセル、ピコセル、フェムトセル、ホットスポット、あるいはリレーなどが、ハイブリッドアクセスモードをサポートする場合にも本発明は適用可能である。
【０１４６】
本発明についてはＨｅＮＢ／ＨＮＢが複数のモードをサポートした場合を中心に記載した。移動体通信システムの他のエンティティが、複数のモードをサポートする場合にも本発明は適用可能である。具体例としては、カバレッジが大きいセル、例えばマクロセル、あるいはカバレッジが小さいセル、例えばマイクロセル、ピコセル、フェムトセル、ホットスポット、あるいはリレーなどが、複数のモードをサポートする場合にも本発明は適用可能である。
【図面の簡単な説明】
【０１４７】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰで議論されている移動体通信システムの全体的な構成を示すブロック図である。
【図８】本発明に係る移動端末３１１の構成を示すブロック図である。
【図９】本発明に係る基地局３１２の構成を示すブロック図である。
【図１０】本発明に係るＭＭＥの構成を示すブロック図である。
【図１１】本発明に係るＨｅＮＢＧＷの構成を示すブロック図である。
【図１２】ＬＴＥ方式の通信システムにおいて移動端末（ＵＥ）が行うセルサーチの概略を示すフローチャートである。
【図１３】ＰＣＩスプリットの概念図である。
【図１４】実施の形態２の移動端末のセル選択処理を示すフローチャートである。
【図１５】実施の形態２の移動端末の処理を示すフローチャートである。
【図１６】実施の形態２変形例の移動端末の処理を示すフローチャートである。
【図１７】実施の形態３の移動端末の処理を示すフローチャートである。
【図１８】現在３ＧＰＰで議論されている移動体通信システムの全体的な構成を示すブロック図である。
【図１９】実施の形態４にて用いる、セル設置例の説明図である。
【図２０】実施の形態４の解決策における移動体通信システムのシーケンス図である。
【図２１】実施の形態４の変形例１の解決策における移動体通信システムのシーケンス図である。
【図２２】実施の形態４の変形例２の解決策における移動体通信システムのシーケンス図である。
【符号の説明】
【０１４８】
１０１  移動端末、１０２  基地局、１０３  ＭＭＥ（Mobility Management Entity）、１０４  Ｓ−ＧＷ（Serving Gateway）
【図１】
2012044234.tif 000003
【図２】
2012044234.tif 000004
【図３】
2012044234.tif 000005
【図４】
2012044234.tif 000006
【図５】
2012044234.tif 000007
【図６】
2012044234.tif 000008
【図７】
2012044234.tif 000009
【図８】
2012044234.tif 000010
【図９】
2012044234.tif 000011
【図１０】
2012044234.tif 000012
【図１１】
2012044234.tif 000013
【図１２】
2012044234.tif 000014
【図１３】
2012044234.tif 000015
【図１４】
2012044234.tif 000016
【図１５】
2012044234.tif 000017
【図１６】
2012044234.tif 000018
【図１７】
2012044234.tif 000019
【図１８】
2012044234.tif 000020
【図１９】
2012044234.tif 000021
【図２０】
2012044234.tif 000022
【図２１】
2012044234.tif 000023
【図２２】
2012044234.tif 000024